(57)【要約】  適応性のある光レイダー受信機および関連する方法が本明細書に開示され、これにより、光レイダーパルスの戻りを受光するのに使用される光検出器アレイの中の有効画素を、光レイダーパルスが目標に設定した場所に少なくともある程度基づいて適応可能に制御することができる。追加の実施形態は、受信機によって使用するための改良された結像式の光学装置と、光検出器のどの画素が入射光を感知するために使用されるかを選択するための別の適応性のある制御技術とを開示している。
2019505814.tif 000002
【特許請求の範囲】
【請求項１】
視野内の目標とされる測距点に向けて光レイダーパルスを発信するステップと、
前記視野内の前記目標とされる測距点の場所に基づいて光センサのアレイ内の光センサのサブセットを選択するステップと、
光センサの前記選択されたサブセットを介して光を感知するステップであって、前記感知された光は、前記発信された光レイダーパルスの反射を含むステップと、
前記感知された光から信号を生成するステップと、
前記生成された信号を処理するステップと、
前記処理するステップに基づいて前記目標とされる測距点に起因し得る範囲情報を計算するステップと、
前記発信するステップ、選択するステップ、感知するステップ、生成するステップ、処理するステップおよび計算するステップを、前記視野内の複数の異なる目標とされる測距点に対して繰り返すステップと、
を含む方法。
【請求項２】
前記処理するステップは、前記生成された信号を、前記生成された信号を表す複数のデジタルサンプルに変換するステップを含む、
請求項１に記載の方法。
【請求項３】
前記方法は、圧縮センシングを介して目標設定するための前記視野内の測距点のサブセットを選択するステップをさらに含み、
前記発信するステップおよび繰り返すステップが、測距点の前記選択されたサブセットに向かって複数の光レイダーパルスを発信するステップを含む、
請求項２に記載の方法。
【請求項４】
前記生成するステップが、
制御されたフィードバックループを用いて前記光センサからの複数の読み出し信号を増幅するステップと、
前記増幅された読み出し信号に基づいて前記感知された光信号を生成するステップと、
を含む、
請求項２から３のいずれかに記載の方法。
【請求項５】
前記増幅するステップが、前記読み出し信号の信号雑音比を増大させるために、前記制御されたフィードバックループの一部として照合ネットワークを用いて前記光センサからの前記読み出し信号を増幅するステップを含む、
請求項４に記載の方法。
【請求項６】
前記選択するステップおよび繰り返すステップが、前記感知された光から引き出された情報に基づいて、どの光センサが前記選択されたサブセット内に含まれるかを適応可能に調整するステップを含む、
請求項２から５のいずれかに記載の方法。
【請求項７】
前記方法は、前記アレイ内の動作不良の光センサを検出するステップをさらに含み、
前記適応可能に調整するステップは、前記サブセットが、動作不良であるように検出された前記光センサを含まないように、光センサの前記サブセットを選択するステップを含む、
請求項６に記載の方法。
【請求項８】
前記方法は、前記選択されたサブセット内の光センサと、前記生成された信号と、の少なくとも一方に関して過剰飽和状況を検出するステップをさらに含み、
前記適応可能に調整するステップは、前記検出された過剰飽和状況を緩和するように光センサの前記サブセットを選択するステップを含む、
請求項６から７のいずれかに記載の方法。
【請求項９】
前記過剰飽和状況が、感知された光によって過剰飽和される光センサに相当する、
請求項８に記載の方法。
【請求項１０】
前記過剰飽和状況が、規定された閾値を上回る生成された信号に相当する、
請求項８から９のいずれかに記載の方法。
【請求項１１】
前記適応可能に調整するステップが、前記生成された信号に関するダイナミックレンジを制御するために、どの光センサが前記選択されたサブセット内に含まれるかを調整するステップを含む、
請求項６から１０のいずれかに記載の方法。
【請求項１２】
前記方法は、その感知された光が、干渉する光レイダーパルスによって損なわれた前記選択されたサブセット内の光センサを検出するステップをさらに含み、
前記適応可能に調整するステップが、前記サブセットが、前記干渉する光レイダーパルスによって損なわれた前記光センサを含まないように光センサの前記サブセットを選択するステップを含む、
請求項６から１１のいずれかに記載の方法。
【請求項１３】
前記方法は、
雑音源である前記視野内の領域を検出するステップと、
前記検出された領域に相当する前記アレイ内の複数の光センサを特定するステップと、
をさらに含み、
前記適応可能に調整するステップは、前記サブセットが、前記特定された光センサを含まないように、光センサの前記サブセットを選択するステップを含む、
請求項６から１２のいずれかに記載の方法。
【請求項１４】
その感知された光が散乱する光レイダーパルスによって損なわれた前記選択されたサブセット内の光センサを検出するステップをさらに含み、
前記適応可能に調整するステップは、前記サブセットが、前記散乱する光レイダーパルスによって損なわれた前記光センサを含まないように光センサの前記サブセットを選択するステップを含む、
請求項６から１３のいずれかに記載の方法。
【請求項１５】
前記繰り返すステップが、前記感知された光から引き出された情報に基づいて、どの測距点が前記発信された光レイダーパルスによって目標に設定されるかを調整するステップを含む、
請求項２から１４のいずれかに記載の方法。
【請求項１６】
前記繰り返すステップが、前記感知された光から引き出された情報に基づいて、低下した出力レベルで光レイダーパルスを発信するステップを含む、
請求項２から１５のいずれかに記載の方法。
【請求項１７】
前記発信するステップおよび繰り返すステップが、
（１）複数の走査ミラーを介して前記目標とされる測距点に向かって前記光レイダーパルスを発信するステップと、
（２）前記発信された光レイダーパルスと異なる周波数で基準光を発信するステップと、
を含み、前記方法は、
前記走査ミラーから光学的に下流にある光検出器が、前記発信された光レイダーパルスおよび前記発信された基準光を受光するステップと、
前記光検出器が、前記測距点に向かって前記受信した発信された光レイダーパルスを渡すステップと、
前記光検出器が、前記受信した発信された基準光を吸収し、前記吸収した基準光を追跡信号に変換するステップと、
前記光レイダーパルスが前記追跡信号に基づいて発信される際、前記走査ミラーが目標に設定する場所を追跡するステップと、
をさらに含む、
請求項２から１６のいずれかに記載の方法。
【請求項１８】
前記選択するステップおよび繰り返すステップが、前記追跡することに基づいてどの光センサが前記選択されたサブセット内に含まれるかを制御するステップを含む、
請求項１７に記載の方法。
【請求項１９】
前記感知された光が、前記発信された光レイダーパルスの反射に起因し得る部分と、基準光に起因し得る部分と、を含むように、（１）前記目標とされる測距点まで前記発信された光レイダーパルスが採り、（２）前記アレイまで前記光レイダーパルスの反射が採る経路と異なる光路を介して、前記基準光を前記アレイへと誘導するステップをさらに含み、
前記処理するステップが、前記生成された信号に基づいて前記発信された光レイダーパルスの反射と前記基準光とのタイミング関係を求めるステップを含む、
請求項２から１８のいずれかに記載の方法。
【請求項２０】
前記計算するステップが、前記求められたタイミング関係に基づいて、前記目標とされる測距点に起因する範囲情報を計算するステップを含む、
請求項１９に記載の方法。
【請求項２１】
前記基準光および前記発信された光レイダーパルスは、共通のパルス形状を共有し、
前記タイミング関係を求める前記ステップが、前記生成された信号に対して、前記生成された信号の遅延形態を相関させることで前記タイミング関係を求めるステップを含む、
請求項１９から２０のいずれかに記載の方法。
【請求項２２】
前記タイミング関係を求めるステップがさらに、前記生成された信号の前記遅延形態と、前記生成された信号と、の少なくとも一方を補間することで、前記タイミング関係の決定を容易にするステップを含む、
請求項２１に記載の方法。
【請求項２３】
前記異なる光路が、
（１）前記光レイダーパルスおよび前記基準光を発信する発信機と、
（２）前記アレイとの間の直接の光路と、
を含む、
請求項２１から２２のいずれかに記載の方法。
【請求項２４】
前記基準光および前記発信された光レイダーパルスは、同一のパルスである、
請求項２１から２３のいずれかに記載の方法。
【請求項２５】
前記発信された光レイダーパルスは、ガウスパルス形状を呈するパルスを有する、
請求項２から２４のいずれかに記載の方法。
【請求項２６】
前記アレイ内の前記光センサは、複数の画素に相当し、複数の前記画素は、六角形を呈する、
請求項２から２５のいずれかに記載の方法。
【請求項２７】
前記アレイ内の前記光センサは、複数の画素に相当し、複数の前記画素は、異なるサイズを呈する、
請求項２から２６のいずれかに記載の方法。
【請求項２８】
光センサの選択されたサブセットの少なくとも１つは、前記アレイ内の単一の光センサである、
請求項２から２７のいずれかに記載の方法。
【請求項２９】
前記選択するステップが、前記サブセット内に含むための複数の前記光センサを選択するステップを含む、
請求項２から２７のいずれかに記載の方法。
【請求項３０】
光センサの複数の前記選択されたサブセットの各々が、異なる数の光センサを含む、
請求項２から２９のいずれかに記載の方法。
【請求項３１】
前記処理するステップは、前記生成された信号を単一のチャネル内で処理するステップを含む、
請求項２から３０のいずれかに記載の方法。
【請求項３２】
前記処理するステップが、
前記生成された信号を複数のチャネル内で処理するステップと、
フィルタリングを用いて前記チャネルをコヒーレント結合することで、前記生成された信号における空間的に指向性の雑音成分を低下させるステップと、
を含む、
請求項２から３１のいずれかに記載の方法。
【請求項３３】
光レイダーシステムが、前記光レイダーシステムが移動する間、前記方法ステップを実行し、前記処理するステップは、
固定された周辺を取り囲むもの、または別の移動中の対象物に対する前記光レイダーシステムの動きから得られた信号に基づいて前記生成された信号の雑音成分を低下させるステップを含む、
請求項２から３２のいずれかに記載の方法。
【請求項３４】
走査エリア内の複数の目標とされる測距点に向かって複数の光レイダーパルスを発信するステップと、
複数の検出器画素を備える光検出器アレイに対して、および前記光レイダーパルスが発信されている間、前記光検出器アレイ内の前記検出器画素の場所と前記走査エリア内の前記目標とされる測距点の場所との関係性に基づいて、範囲の処理作業において使用するための光を感知するために前記検出器の画素のどれが所与の時間に作動されるのかを適応可能に制御するステップと、
を含む方法。
【請求項３５】
アレイを介して光を感知するステップであって、前記アレイが複数の光センサを含んでおり、各光センサが前記感知された光を示す信号を生成し、前記感知された光は、複数の測距点から反射された複数の光レイダーパルスを含むステップと、
マルチプレクサを介して前記アレイ内の光センサを選択するステップと、
前記選択された光センサによって生成された前記信号を、前記マルチプレクサを介して信号処理回路に渡すステップと、
前記信号処理回路を介して前記渡された信号を増幅するステップであって、前記増幅された信号を処理して測距点に関する範囲情報を計算するステップと、
前記選択するステップ、前記渡すステップおよび前記増幅するステップを経時的に複数の光センサに対して繰り返すことで、複数の前記測距点に対する範囲情報の計算を支援するステップと、
を含む方法。
【請求項３６】
ショットリストに従って走査光レイダー発信機を介して前記測距点に向かって前記光レイダーパルスを発信するステップと、
前記ショットリストにならう特定のパターンで前記光センサ同士を選択的に切り替えるように前記マルチプレクサを制御するステップと、
をさらに含む、
請求項３５に記載の方法。
【請求項３７】
前記ショットリストが、測距点のサブセットを目標に設定する、
請求項３６に記載の方法。
【請求項３８】
前記選択するステップが、前記マルチプレクサを介して前記アレイ内の複数の光センサを同時に選択するステップを含み、
前記方法は、前記同時に選択された光センサによって生成された前記信号を結合するステップをさらに含み、前記結合された信号を前記マルチプレクサの入力ラインに提供し、これにより前記アレイに関して複数の複合画素を規定する、
請求項３５から３７のいずれかに記載の方法。
【請求項３９】
前記測距点に関する範囲情報を計算するために前記増幅された信号の複数のサンプルを補間するステップをさらに含む、
請求項３５から３８のいずれかに記載の方法。
【請求項４０】
前記補間するステップが、フィールドプログラマブルゲートアレイ（ＦＰＧＡ)によって行われる、
請求項３９に記載の方法。
【請求項４１】
コヒーレントなファイバテーパ集光器を介して前記アレイ上に光を集めるステップをさらに含む、
請求項３５から４０のいずれかに記載の方法。
【請求項４２】
結像系を含むレンズを介して前記コヒーレントなファイバテーパ集光器の入射ひとみ上に光の焦点を合わせるステップをさらに含む、
請求項４１に記載の方法。
【請求項４３】
結像系を含むレンズを介して前記アレイ上に直接光の焦点を合わせるステップをさらに含む、
請求項３５から４２のいずれかに記載の方法。
【請求項４４】
前記選択された光センサが、複数の選択された光センサを含み、前記選択された光センサが、前記アレイの前記光センサのサブセットを形成する、
請求項３５から４３のいずれかに記載の方法。
【請求項４５】
前記選択するステップおよび繰り返すステップが、前記感知された光から引き出された情報に基づいてどの光センサが前記サブセット内に含むために選択されるかを適応可能に調整するステップを含む、
請求項４４に記載の方法。
【請求項４６】
前記感知された光がさらに、基準光に起因し得る成分を含むように、前記光レイダーパルスが前記アレイまで進む光路と異なる光路を介して前記アレイ上に前記基準光を誘導し、前記基準光および前記発信された光レイダーパルスは、共通のパルス形状を共有するステップと、
前記感知された光から引き出された情報に基づいて、前記発信された光レイダーパルスと、前記反射した光レイダーパルスと、のタイミング関係を求めるステップと、
をさらに含む、
請求項４４から４５のいずれかに記載の方法。
【請求項４７】
前記走査光レイダー発信機が複数の走査ミラーを備え、前記発信するステップは、走査光レイダー発信機が、前記走査ミラーを介して前記測距点に向けて前記光レイダーパルスを発信するステップを含み、前記方法はさらに、
前記走査光レイダー発信機が、前記走査ミラーを介して基準光を出力し、前記基準光が前記光レイダーパルスと異なる周波数を呈するステップと、
前記走査光レイダー発信機から光学的に下流に位置決めされたダイクロイック光検出器が、前記光レイダーパルスおよび前記基準光を受光するステップと、
前記ダイクロイック光検出器が、前記測距点に向けて前記光レイダーパルスを渡すステップと、
前記ダイクロイック光検出器が前記基準光を追跡信号に変換し、かつ前記光レイダーパルスが前記追跡信号に基づいて発信される際、前記走査光レイダー発信機が目標とする場所を追跡するステップと、
を含む、
請求項４４から４６のいずれかに記載の方法。
【請求項４８】
複数のフレームの各々に関して、フレーム毎に１つのフレーム内に測距点の１つのサブセットを選択するステップと、
各フレームに関して前記選択された測距点を目標に設定するために、複数のミラーを選択的に走査するステップと、
走査ミラーを介して複数の光レイダーパルスを前記目標とされる測距点に向かって発信するステップと、前記光レイダーパルスが前記測距点から反射されると、
前記反射した光レイダーパルスを含む光を感知するステップと、
前記感知された光を示す信号を生成するステップと、
前記信号を複数のデジタルサンプルにデジタル化するステップと、
前記デジタルサンプルをＦＰＧＡ補間することで、前記測距点に関する範囲情報を計算するステップと、
を含む方法。
【請求項４９】
複数の光センサを備えるアレイおよび前記アレイと通信する回路を備える光レイダー受信機装置であって、
各光センサが、複数の測距点から反射された複数の光レイダーパルスを示す光を感知し、前記感知された光を示す信号を生成するように構成され、
前記回路は、（１）所与の時間に読み出すために前記光センサの複数のサブセットを選択的に規定することで前記感知された光を表す信号を生成するように構成され、前記生成された信号が、前記測距点に関する範囲情報を計算するのに使用される、
光レイダー受信機装置。
【請求項５０】
前記回路が、
信号処理回路と、
前記アレイおよび前記信号処理回路と通信するマルチプレクサと、
を備え、
前記マルチプレクサとは、各選択的に接続された光センサによって生成された前記信号を前記信号処理回路に渡すように、制御信号に応じて前記光センサの各規定されたサブセットを前記信号処理回路と選択的に接続するように構成され、
前記信号処理回路は、前記提供された信号を増幅し、前記測距点に関して前記範囲情報を計算するために処理するために複数のデジタルサンプルに変換するように構成される、
請求項４９に記載の装置。
【請求項５１】
前記回路はさらに、前記マルチプレクサと通信する制御回路を備え、
前記制御回路は、前記制御信号が、前記測距点に向かって光レイダーパルスを発信する走査光レイダー発信機の視野内の前記測距点の場所に基づいて前記アレイ内の光センサのサブセットを選択するように、前記制御信号を生成するように構成される、
請求項５０に記載の装置。
【請求項５２】
前記制御信号が、前記走査光レイダー発信機のためのショットリストにならう特定の順序で前記アレイ内の光センサのサブセットを選択するように、前記制御回路は、前記制御信号を生成するようにさらに構成される、
請求項５１に記載の装置。
【請求項５３】
前記ショットリストが、前記走査光レイダー発信機の視野内で測距点のサブセットを選択的に目標に設定する、
請求項５１から５２のいずれかに記載の装置。
【請求項５４】
前記回路がさらに、
前記光センサからの出力を調整するために前記光センサに複数のフィードバック信号を提供するフィードバック回路を備える、
請求項５１から５３のいずれかに記載の装置。
【請求項５５】
前記フィードバック回路が、前記光センサと、制御されたフィードバックループ内で前記光センサからの前記出力を増幅する前記マルチプレクサと、の間に複数の増幅器を備える、
請求項５４に記載の装置。
【請求項５６】
前記光センサからの前記出力に関する信号雑音比を増大させるフィードバックゲインを生成するために、前記増幅器を制御するように構成されたゲイン制御装置をさらに備える、
請求項５５に記載の装置。
【請求項５７】
前記フィードバック回路が、照合ネットワークフィードバックループとして構成される、
請求項５５から５６のいずれかに記載の装置。
【請求項５８】
前記光レイダーパルスが、ガウスパルス形状を呈する複数の光レイダーパルスを含む、
請求項５４から５７のいずれかに記載の装置。
【請求項５９】
前記信号処理回路が、前記マルチプレクサによって渡される前記信号のために単一のチャネルを含む、
請求項５０から５８のいずれかに記載の装置。
【請求項６０】
前記信号処理回路が、前記マルチプレクサによって渡される前記信号のために複数のチャネルを含み、前記信号処理回路が、前記複数のチャネル内に存在する信号に基づいて前記マルチプレクサによって渡される前記信号の雑音成分を低下させるように構成される、
請求項５０から５９のいずれかに記載の装置。
【請求項６１】
前記信号処理回路が、前記マルチプレクサによって渡される前記信号の空間的指向性の雑音成分を低下させるためのフィルタを含む前記複数のチャネルのためのコヒーレント結合回路を備える、
請求項６０に記載の装置。
【請求項６２】
前記サブセットが、複数の前記光センサを備え、回路は、複数の光センサから複数のマルチプレクサ入力ラインの各々への信号を結合し、これにより前記信号処理回路への読み出しのために複合画素を規定するように位置決めされる、
請求項５０から６１のいずれかに記載の装置。
【請求項６３】
前記信号処理回路が、前記提供された信号を増幅するように構成された増幅器を備える、
請求項５０から６２のいずれかに記載の装置。
【請求項６４】
前記信号処理回路がさらに、前記増幅器から下流にアナログデジタル変換器（ＡＤＣ）回路を備え、前記ＡＤＣ回路が、前記提供された信号を前記デジタルサンプルに変換するように構成される、
請求項６３に記載の装置。
【請求項６５】
前記信号処理回路がさらに、前記増幅器から下流に時間デジタル変換器（ＴＤＣ）回路を備え、前記ＴＤＣが、提供された信号を前記デジタルサンプルに変換するように構成される、
請求項６３に記載の装置。
【請求項６６】
前記信号処理回路がさらに、フィールドプログラマブルゲートアレイ（ＦＰＧＡ）を備え、前記ＦＰＧＡが、前記デジタルサンプルに基づいて前記範囲情報を計算するように構成される、
請求項５０から６５のいずれかに記載の装置。
【請求項６７】
前記ＦＰＧＡが、前記デジタルサンプルに対して補間を行うことで、前記範囲情報を計算するようにさらに構成される、
請求項６６に記載の装置。
【請求項６８】
前記アレイの前記光センサが、複数の画素に相当し、選択された光センサの前記サブセットが、前記サブセット内にいくつの画素が含まれるかに関して経時的に変化する、
請求項４９から６７のいずれかに記載の装置。
【請求項６９】
前記アレイの前記光センサが、複数の画素に相当し、複数の前記画素が、六角形を呈する、
請求項４９から６８のいずれかに記載の装置。
【請求項７０】
複数の前記画素は、異なるサイズを呈する、
請求項６９に記載の装置。
【請求項７１】
複数の前記画素は、異なるサイズを呈する、
請求項４９から７０のいずれかに記載の装置。
【請求項７２】
前記走査光レイダー発信機から光学的に下流に位置決めされた光検出器をさらに備え、前記光検出器が、（１）前記走査光レイダー発信機からの前記光レイダーパルスと、（２）前記光レイダーパルスと異なる周波数での前記走査光レイダー発信機からの光と、を受光するように位置決めされた特定の領域を有し、前記領域が、前記光レイダーパルスは渡すが、異なる周波数の前記光を吸収し出力信号に変換するように構成されており、
前記回路が、前記光検出器からの前記出力信号に基づいて前記走査光レイダー発信機が目標に設定する場所を追跡するようにさらに構成される、
請求項４９から７１のいずれかに記載の装置。
【請求項７３】
前記回路が、光レイダーパルスが発信される際、前記走査光レイダー発信機が目標に設定する場所の追跡に基づいて、光センサの前記サブセットを選択的に規定するようにさらに構成される、
請求項７２に記載の装置。
【請求項７４】
前記アレイは、前記生成された信号が、反射した光レイダーパルスに起因し得る部分と、基準光に起因し得る部分と、を含むように、前記走査光レイダー発信機から前記アレイまで前記光レイダーパルスが進む光路と異なる光路を介して、前記光レイダーパルスに対してタイミング調整するために前記走査光レイダー発信機から前記基準光を受光するようにさらに位置決めされ、
前記回路が、前記生成された信号に基づいて前記反射した光レイダーパルスと前記基準光とのタイミング関係を求めるようにさらに構成される、
請求項４９から７３のいずれかに記載の装置。
【請求項７５】
前記回路が、前記求められたタイミング関係に基づいて、前記反射した光レイダーパルスに対応する測距点に関する前記範囲情報を計算するようにさらに構成される、
請求項７４に記載の装置。
【請求項７６】
前記基準光および前記発信された光レイダーパルスが、共通のパルス形状を共有し、前記回路が、前記生成された信号に対する前記生成された信号の遅延形態の相関関係に基づいて前記タイミング関係を求めるようにさらに構成される、
請求項７４から７５のいずれかに記載の装置。
【請求項７７】
回路は、前記生成された信号の前記遅延形態と、前記生成された信号と、の少なくとも一方を補間することで、前記タイミング関係の決定を容易にするようにさらに構成される、
請求項７６に記載の装置。
【請求項７８】
前記別個の光路は、前記走査光レイダー発信機と前記アレイとの間の直接の光路を備える、
請求項７６から７７のいずれかに記載の装置。
【請求項７９】
前記基準光および前記発信された光レイダーパルスは、同一のパルスである、
請求項７６から７８のいずれかに記載の装置。
【請求項８０】
前記光レイダーパルスは、ガウスパルス形状を呈する複数の光レイダーパルスを含む、
請求項４９から７９のいずれかに記載の装置。
【請求項８１】
前記アレイの前記光センサは、複数の画素に相当し、前記回路は、動作不良として検出された画素が、前記規定されたサブセットに含まれないように、動作不良の画素の検出に基づいて前記規定されたサブセット内にどの画素が含まれるかを適応させるように構成される、
請求項４９から８０のいずれかに記載の装置。
【請求項８２】
前記回路が、動作不良である画素を検出するようにさらに構成される、
請求項８１に記載の装置。
【請求項８３】
前記動作不良の画素は、暗い画素を含む、
請求項８１から８２のいずれかに記載の装置。
【請求項８４】
前記動作不良の画素は、白色画素を含む、
請求項８１から８３のいずれかに記載の装置。
【請求項８５】
前記アレイの前記光センサが、複数の画素に相当し、前記回路が、過剰飽和状況の検出に基づいて前記規定されたサブセット内にどの画素が含まれるかを適応させることで、前記過剰飽和状況を抑制する方法で、前記生成された信号に関するダイナミックレンジを調整するように構成される、
請求項４９から８４のいずれかに記載の装置。
【請求項８６】
前記回路が、画素の前記サブセットによって感知される前記光に関して過剰飽和状況が存在するかどうかを検出するようにさらに構成される、
請求項８５に記載の装置。
【請求項８７】
前記過剰飽和状況が、前記サブセット内の過剰飽和した画素に相当する、
請求項８５から８６のいずれかに記載の装置。
【請求項８８】
前記サブセットが、複数の画素を含み、前記過剰飽和状況が、前記生成された信号における画素の集合に相当する、
請求項８５から８７のいずれかに記載の装置。
【請求項８９】
前記アレイの前記光センサが、複数の画素に相当し、前記サブセットが、複数の画素を含み、前記過剰に飽和した画素が、それが干渉する光からの雑音によって過剰に飽和される間、前記規定されたサブセット内に含まれないように、前記回路が、干渉する光によって過剰に飽和した画素の検出に基づいて前記規定されたサブセット内にどの画素が含まれるかを適応させるように構成される、
請求項４９から８８のいずれかに記載の装置。
【請求項９０】
前記回路が、前記サブセット内のいずれかの画素が干渉する光からの雑音によって過剰に飽和されているかどうかを検出するようにさらに構成される、
請求項８９に記載の装置。
【請求項９１】
前記干渉する光が、異なる光レイダー発信機からの光レイダーパルスに相当する、
請求項８９から９０のいずれかに記載の装置。
【請求項９２】
前記アレイの前記光センサが、複数の画素に相当し、前記回路が、散乱した光レイダーパルス反射の検出に基づいて前記規定されたサブセット内にどの画素が含まれるかを適応させるように構成される、
請求項８９から９１のいずれかに記載の装置。
【請求項９３】
前記光レイダー受信機装置が、光レイダーシステムの一部であり、前記光レイダーシステムがさらに、前記走査光レイダー発信機をさらに備え、
前記走査光レイダー発信機が、前記光レイダー受信機装置からのフィードバックに基づいて測距点のショットリストを調整するように構成される、
請求項４９から９２のいずれかに記載の装置。
【請求項９４】
前記調整後のショットリストが、前記アレイ内の過剰に飽和した画素に相当する測距点を回避する、
請求項９３に記載の装置。
【請求項９５】
前記調整後のショットリストが、過剰に干渉する光を含む前記視野内の領域に相当する測距点を回避する、
請求項９３から９４のいずれかに記載の装置。
【請求項９６】
前記光レイダー受信機装置が、光レイダーシステムの一部であり、前記光レイダーシステムは、さらに前記走査光レイダー発信機を備え、
前記走査光レイダー発信機が、前記光レイダー受信機装置からのフィードバックに基づいて前記光レイダーパルスにどのくらいの出力が含まれるかを調整するように構成される、
請求項４９から９５のいずれかに記載の装置。
【請求項９７】
前記アレイと光学通信し、前記アレイ上に光を集めるように位置決めされた集光器をさらに備える、
請求項４９から９６のいずれかに記載の装置。
【請求項９８】
前記集光器が、ファイバテーパ集光器を備える、
請求項９７に記載の装置。
【請求項９９】
前記ファイバテーパ集光器が、コヒーレントなファイバテーパ集光器を備える、
請求項９８に記載の装置。
【請求項１００】
結像系を含むレンズをさらに備え、前記レンズが、前記集光器と光学通信し、前記集光器の入射ひとみにおいて光を結像するように構成される、
請求項９７から９９のいずれかに記載の装置。
【請求項１０１】
結合系を含むレンズをさらに備え、前記レンズが、前記アレイと光学通信しており、前記アレイ上に光を結像するように構成される、
請求項４９から１００のいずれかに記載の装置。
【請求項１０２】
前記装置が、前記レンズと前記アレイとの間に集光器を含まない、
請求項１０１に記載の装置。
【請求項１０３】
前記光レイダー受信機装置が、光レイダーシステムの一部であり、前記光レイダーシステムが、走査光レイダー発信機をさらに備え、
前記回路が、（１）前記光レイダーシステムが移動中であることを示す信号を処理し、（２）前記処理済みの移動を示す信号に基づいて前記生成された信号の雑音成分を低下させるようにさらに構成される、
請求項４９から１０２のいずれかに記載の装置。
【請求項１０４】
レイダー前記受信機を備える装置であって、前記レイダー前記受信機は、
複数の画素の光センサと、
複数の前記画素の各々によって感知された信号を読み出し、前記読み出された信号を処理するように構成された読み出し集積回路（ＲＯＩＣ）と、
を含み、
前記ＲＯＩＣが、感知された信号の読み出しのために前記画素同士の間で選択的に切り替えるように構成されたマルチプレクサを含む、
装置。
【請求項１０５】
前記画素は、複合画素を含む、
請求項１０４に記載の装置。
【請求項１０６】
光レイダー発信機および光レイダー受信機を備えるシステムであって、
前記光レイダー発信機は、複数の走査可能ミラーを備え、（１）複数のフレームの各々に関して、フレーム毎に１つのフレーム内に測距点の１つのサブセットを選択し、（２）各フレームに関して前記選択された測距点を目標に設定するために、前記走査可能ミラーを選択的に走査し、（３）複数の光レイダーパルスを、前記走査後のミラーを介して前記目標とされる測距点に向かって発信するように構成され、
前記光レイダー受信機は、
複数の光センサを含むアレイであって、各光センサが、前記目標とされる測距点から反射した複数の光レイダーパルスを示す光を感知し、前記感知された光を示す信号を生成するように構成されるアレイと、
信号処理回路と、
前記アレイおよび前記信号処理回路と通信するマルチプレクサであって、各選択的に接続された光センサによって生成された前記信号を前記信号処理回路に渡すように、制御信号に応じて複数の前記光センサを前記信号処理回路と選択的に接続するように構成されたマルチプレクサと、
を備え、
前記信号処理回路が、前記目標とされる測距点に関して範囲情報を計算するための処理のために、前記提供された信号を増幅し、複数のデジタルサンプルに変換するように構成される、
システム。
【請求項１０７】
光レイダー発信機および光レイダー受信機を備えるシステムであって、
前記光レイダー発信機は、複数の走査可能ミラーを備え、（１）複数のフレームの各々に関して、フレーム毎に１つのフレーム内に測距点の１つのサブセットを選択し、（２）各フレームに関して前記選択された測距点を目標に設定するために、前記走査可能ミラーを選択的に走査し、（３）複数の光レイダーパルスを、前記走査後のミラーを介して前記目標とされる測距点に向かって発信するように構成され、
前記光レイダー受信機は、
レンズと、
光センサと、
前記レンズと前記光センサの間に位置決めされた集光器と、
を備え、
前記レンズが、光を受光するように構成され、前記受光した光は、前記目標とされる測距点から反射した複数の光レイダーパルスを含んでおり、
前記集光器が、前記レンズからの光を前記光センサ上に集めるように構成され、
前記光センサが、前記集光器によって集められた前記光を感知し、前記感知された光を示す信号を生成するように構成される、
システム。
【請求項１０８】
前記集光器が、複合放物面型集光器を備える、
請求項１０７に記載のシステム。
【請求項１０９】
前記集光器が、ファイバテーパ集光器を備える、
請求項１０７に記載のシステム。
【請求項１１０】
前記ファイバテーパ集光器が、コヒーレントなファイバテーパ集光器を備える、
請求項１０９に記載のシステム。
【請求項１１１】
前記レンズが、結像系を含み、前記レンズが、前記コヒーレントなファイバテーパ集光器の入射ひとみ上に前記受光した光の焦点を合わせるように構成される、
請求項１１０に記載のシステム。
【請求項１１２】
前記レンズが、結像系を含み、前記レンズが、前記集光器の入射ひとみ上に前記受光した光の焦点を合わせるように構成される、
請求項１０７から１１１のいずれかに記載のシステム。
【請求項１１３】
前記レンズは、無限焦点レンズを備える、
請求項１０７から１１２のいずれかに記載のシステム。
【請求項１１４】
前記光センサが、多素子の検出器アレイを備える、
請求項１０７から１１３のいずれかに記載のシステム。
【請求項１１５】
前記光レイダー受信機がさらに、読み出し集積回路（ＲＯＩＣ）を備え、前記ＲＯＩＣが、前記目標とされる測距点に関する範囲情報の計算を支援するために、前記光センサから前記生成された信号を読み出すように構成される、
請求項１０７から１１４のいずれかに記載のシステム。
【請求項１１６】
前記光センサが、個別にアドレス指定可能な光センサのアレイを備え、各個別にアドレス指定可能な光センサが、前記目標とされる測距点から反射した複数の光レイダーパルスを示す光を感知し、前記感知された光を示す信号を生成するように構成され、
前記ＲＯＩＣが、信号処理回路のために複数の前記個別にアドレス指定可能な光センサを前記信号処理回路と選択的に接続することで、そこからの前記生成された信号を処理するように構成されたマルチプレクサを含む、
請求項１１５に記載のシステム。
【請求項１１７】
複数のフレームの各々に関して、フレーム毎に１つのフレーム内に測距点の１つのサブセットを選択するステップと、
各フレームに関して前記選択された測距点を目標に設定するために、複数のミラーを選択的に走査するステップと、
複数の光レイダーパルスを、走査ミラーを介して前記目標とされる測距点に向かって発信するステップと、前記光レイダーパルスが前記測距点から反射されると、
レンズを介して、前記反射した光レイダーパルスを含む光を受光するステップと、
集光器が、前記レンズからの光を光センサ上に集めるステップと、
前記光センサが、前記収集された光を感知し、前記感知された光を示す信号を生成するステップと、
を含む方法。
【請求項１１８】
前記集光器が、複合放物面型集光器を備える、
請求項１１７に記載の方法。
【請求項１１９】
前記集光器が、ファイバテーパ集光器を備える、
請求項１１７に記載の方法。
【請求項１２０】
前記ファイバテーパ集光器が、コヒーレントなファイバテーパ集光器を備える、
請求項１１９に記載の方法。
【請求項１２１】
前記コヒーレントなファイバテーパ集光器の入射ひとみ上に前記受光した光の焦点を合わせる前記レンズをさらに備える、
請求項１２０に記載の方法。
【請求項１２２】
前記集光器の入射ひとみ上に前記受光した光の焦点を合わせる前記レンズをさらに備える、
請求項１１７から１２１のいずれかに記載の方法。
【請求項１２３】
前記レンズは、無限焦点レンズを備える、
請求項１１７から１２２のいずれかに記載の方法。
【請求項１２４】
前記光センサが、多素子の検出器アレイを備える、
請求項１１７から１２３のいずれかに記載の方法。
【請求項１２５】
前記目標とされる測距点に関する範囲情報の計算を支援するために、前記光センサから前記生成された信号を読み出す読み出し集積回路（ＲＯＩＣ）をさらに備える、
請求項１１７から１２４のいずれかに記載の方法。
【請求項１２６】
前記光センサが、個別にアドレス指定可能な光センサのアレイを備え、各個別にアドレス指定可能な光センサが、前記目標とされる測距点から反射した複数の光レイダーパルスを示す光を感知し、前記感知された光を示す信号を生成するように構成され、
前記読み出しステップが、マルチプレクサが信号処理回路のために複数の前記個別にアドレス指定可能な光センサを前記信号処理回路と選択的に接続することで、そこからの前記生成された信号を処理するステップを含む、
請求項１２５に記載の方法。
【請求項１２７】
前記光レイダーパルスを発信した光レイダー発信機からくる基準光を前記光センサによって感知するステップであって、前記基準光が、前記光センサまで前記光レイダーパルスが進む光路とは別の光路を介して前記光センサによって受光されるステップと、
前記受光した基準光を、前記感知された基準光と組み合わせて利用することで、前記目標とされる測距点に関する範囲測定を促進するステップと、
をさらに含み、
前記基準光は、前記光レイダーパルスに関するパルス形状と同一のパルス形状を呈する、
請求項１１７から１２６のいずれかに記載の方法。
【請求項１２８】
前記光レイダーパルスを発信する光レイダー発信機が、ダイクロイック光検出器を用いて目標を設定した場所を追跡するステップをさらに含む、
請求項１１７から１２７のいずれかに記載の方法。
【請求項１２９】
前記光センサが、光センサのアレイを備え、前記方法がさらに、
前記目標とされる測距点に基づいて前記感知された光の信号を生成するのに前記光センサのどれを使用するのかを適応可能に選択するステップをさらに含む、
請求項１１７から１２８のいずれかに記載の方法。
【請求項１３０】
光レイダー発信機および光レイダー受信機を備えるシステムであって、
前記光レイダー発信機は、複数の走査可能ミラーを備え、（１）複数のフレームの各々に関して、フレーム毎に１つのフレーム内に測距点の１つのサブセットを選択し、（２）各フレームに関して前記選択された測距点を目標に設定するために、前記走査可能ミラーを選択的に走査し、（３）複数の光レイダーパルスを、前記走査後のミラーを介して前記目標とされる測距点に向かって発信するように構成され、
前記光レイダー受信機は、
レンズと、
光センサと、
を備え、
前記レンズが、前記光センサに直接光を渡すように構成され、前記渡された光は、前記目標とされる測距点から反射した複数の光レイダーパルスを含んでおり、
前記光センサが、前記レンズから前記光を感知し、前記感知された光を示す信号を生成するように構成される、
システム。
【請求項１３１】
前記レンズが、結像系を含み、前記レンズが、前記光センサ上に直接前記光の焦点を合わせるように構成される、
請求項１３０に記載のシステム。
【請求項１３２】
前記レンズが、無限焦点レンズを備える、
請求項１３０に記載のシステム。
【請求項１３３】
前記光レイダー受信機が、前記レンズと前記光センサとの間に集光器を含まない、
請求項１３０から１３２のいずれかに記載のシステム。
【請求項１３４】
前記光センサは、多素子の検出器アレイを備える、
請求項１３０から１３３のいずれかに記載のシステム。
【請求項１３５】
前記目標とされる測距点に関する範囲情報の計算を支援するために、前記光センサから前記生成された信号を読み出すように構成された読み出し集積回路（ＲＯＩＣ）をさらに備える、
請求項１３０から１３４のいずれかに記載のシステム。
【請求項１３６】
前記光センサが、個別にアドレス指定可能な光センサのアレイを備え、各個別にアドレス指定可能な光センサが、前記目標とされる測距点から反射した複数の光レイダーパルスを示す光を感知し、前記感知された光を示す信号を生成するように構成され、
前記ＲＯＩＣが、信号処理回路のために複数の前記個別にアドレス指定可能な光センサを前記信号処理回路と選択的に接続することで、そこからの前記生成された信号を処理するように構成されたマルチプレクサを備える、
請求項１３５に記載のシステム。
【請求項１３７】
複数のフレームの各々に関して、フレーム毎に１つのフレーム内に測距点の１つのサブセットを選択するステップと、
各フレームに関して前記選択された測距点を目標に設定するために、複数のミラーを選択的に走査するステップと、
複数の光レイダーパルスを、走査ミラーを介して前記目標とされる測距点に向かって発信するステップと、前記光レイダーパルスが前記測距点から反射されると、
レンズが、前記反射した光レイダーパルスを含む光を受光するステップと、
前記レンズが、前記受光した光を光センサ上に直接渡すステップと、
前記光センサが、前記渡された光を感知し、前記感知された光を示す信号を生成するステップと、
を含む方法。
【請求項１３８】
前記レンズが、前記光センサ上に直接前記受光した光の焦点を合わせるステップをさらに含む、
請求項１３７に記載の方法。
【請求項１３９】
前記レンズが、無限焦点レンズを備える、
請求項１３７に記載の方法。
【請求項１４０】
前記渡された光が、前記レンズと前記光センサとの間の集光器を介して渡されない、
請求項１３７から１３９のいずれかに記載の方法。
【請求項１４１】
前記光センサが、多素子の検出器アレイを備える、
請求項１３７から１４０のいずれかに記載の方法。
【請求項１４２】
前記目標とされる測距点に関する範囲情報の計算を支援するために、前記光センサから前記生成された信号を読み出す読み出し集積回路（ＲＯＩＣ）をさらに備える、
請求項１３７から１４１のいずれかに記載の方法。
【請求項１４３】
前記光センサが、個別にアドレス指定可能な光センサのアレイを備え、各個別にアドレス指定可能な光センサが、前記目標とされる測距点から反射した複数の光レイダーパルスを示す光を感知し、前記感知された光を示す信号を生成するように構成され、
前記読み出しステップは、マルチプレクサが、前記信号処理回路のために複数の前記個別にアドレス指定可能な光センサを前記信号処理回路と選択的に接続することで、そこからの前記生成された信号を処理するステップを含む、
請求項１４２に記載の方法。
【請求項１４４】
視野内の複数の測距点に送信するために複数の光レイダーパルスを生成するように構成された第１の光源と、
前記光レイダーパルスと異なる周波数で基準光を生成するように構成された第２の光源と、
前記視野内の前記光レイダー発信機装置のための目標設定作業を規定するために、複数の走査位置へと走査可能である複数のミラーであって、前記生成された光レイダーパルスおよび前記生成された基準光を受光し、走査エリア内の複数の目標とされる測距点に向けて誘導するように構成された複数の走査可能ミラーと、
前記走査可能ミラーから光学的に下流にあるダイクロイック光検出器であって、（１）前記測距点に向けて前記光レイダーパルスを通過させ、（２）前記基準光を吸収し、前記光レイダーパルスが発信される際、前記走査可能ミラーが目標に設定する場所を示す基準信号に変換するように構成されたダイクロイック光検出器と、
を備える光レイダー発信機装置。
【請求項１４５】
前記ダイクロイック光検出器が、ケーシング内に収容され、前記ケーシングの少なくとも一部の領域が、光透過性であるため、前記光レイダーパルスが、前記光透過性のケーシングを通過して前記測距点に向けて通過させる、
請求項１４４に記載の装置。
【請求項１４６】
前記光レイダーパルスおよび前記基準光が、前記ミラーから前記ダイクロイック光検出器への光路内で整列される、
請求項１４４から１４５のいずれかに記載の装置。
【請求項１４７】
複数の走査ミラーを介して視野内の目標とされる測距点に向けて光レイダーパルスを発信するステップと、
前記光レイダーパルスが発信される際、前記走査ミラーを介して基準光を発信し、前記基準光が、前記光レイダーパルスと異なる周波数を呈するステップと、
前記走査ミラーから光学的に下流にある光検出器が、前記発信された光レイダーパルスおよび前記発信された基準光を受光するステップと、
前記光検出器が、前記目標とされる測距点に向かって前記受光した光レイダーパルスを通過させるステップと、
前記光検出器が、前記受光した基準光を吸収し、前記吸収した基準光を、前記光レイダーパルスが発信されたときに前記走査ミラーが目標に設定した場所を示す追跡信号に変換するステップと、
前記発信ステップ、前記受光するステップ、前記通過させるステップならびに前記吸収および変換するステップを前記視野内の複数の異なる目標とされる測距点に対して繰り返すステップと、
を含む方法。
【請求項１４８】
前記光検出器が、ケーシング内に収容され、前記ケーシングの少なくとも一部の領域が、光透過性であり、前記光透過性のケーシングの領域が、（１）前記発信された光レイダーパルスおよび前記発信された基準光を前記光検出器上に通過させるステップと、（２）前記目標とされる測距点に向かって前記受光した光レイダーパルスを通過させるステップと、をさらに含む、
請求項１４７に記載の方法。
【請求項１４９】
前記光レイダーパルスおよび前記基準光を、前記走査ミラーから前記光検出器までの光路内で整列させることをさらに含む、
請求項１４７から１４８のいずれかに記載の方法。
【請求項１５０】
前記発信するステップおよび繰り返すステップが、圧縮センシングを介して前記目標とされる測距点に向かって前記光レイダーパルスを発信するステップを含む、
請求項１４７から１４９のいずれかに記載の方法。
【請求項１５１】
視野内の目標とされる測距点に向かって光レイダーパルスを発信し、前記発信された光レイダーパルスがパルス形状を呈するステップと、
第１の光路を介して光センサに向かって光パルスを発信し、前記発信された光パルスが、前記発信された光レイダーパルスと同一のパルス形状を呈するステップと、
前記光センサを介して光を感知し、前記感知された光が、（１）第２の光路を介して前記光センサへと進む前記発信された光レイダーパルスの反射に相当する光と、（２）前記第１の光路を介して前記光センサへと進む前記発信された光パルスに相当する光と、を含むステップと、
前記感知された光を電気信号に変換するステップと、
前記電気信号を複数のサンプルにデジタル化するステップと、
前記サンプルに遅延を適用して、複数の遅延サンプルを生成するステップと、
前記サンプルを前記遅延サンプルに対して相関させることで、最大出力を生み出す前記サンプルと前記遅延サンプルとの調整値を見つけるステップと、
前記相関処理に基づいて前記光パルスと前記光レイダーパルスとのタイミング関係を求めるステップと、
を含む方法。
【請求項１５２】
前記求められたタイミング関係に基づいて前記目標とされる測距点に関する範囲情報を計算するステップをさらに含む、
請求項１５１に記載の方法。
【請求項１５３】
光レイダーパルス反射に相当する前記光および前記光パルスに相当する前記光が、前記光センサによるその受信中に時間遅延によって分離され、
前記相関するステップが、前記サンプルを前記遅延サンプルに対してサンプル単位でシフト処理することで、最大出力がサンプルシフトの数に相当し、前記サンプルシフトの数が、前記時間遅延を示すステップを含む、
請求項１５１から１５２のいずれかに記載の方法。
【請求項１５４】
前記光センサが、光検出器アレイを備え、前記光検出器アレイが、複数のアドレス指定可能な画素を備える、
請求項１５１から１５３のいずれかに記載の方法。
【請求項１５５】
前記光レイダーパルスを発信する光レイダー発信機の走査エリア内の前記目標とされる測距点の場所に基づいて、前記画素のどれが前記光を感知するために作動されるかを選択するステップをさらに含む、
請求項１５４に記載の方法。
【請求項１５６】
前記遅延サンプルを補間するステップをさらに含み、
前記相関するステップが、前記最大出力を生み出す前記調整値を見つけるために前記サンプルを前記補間された遅延サンプルに対して相関させるステップを含む、
請求項１５１から１５５のいずれかに記載の方法。
【請求項１５７】
前記第１の光路が、（１）前記光レイダーパルスおよび前記光パルスを発信する発信機と、（２）前記光センサと、の間の直接の光路である、
請求項１５１から１５６のいずれかに記載の方法。
【請求項１５８】
前記光パルスおよび前記光レイダーパルスは、同一パルスである、
請求項１５１から１５７のいずれかに記載の方法。
【請求項１５９】
圧縮センシングを介して複数の測距点に向かって光レイダー発信機によって発信された複数の光レイダーパルスに関して、前記方法ステップを複数回繰り返すステップをさらに含む、
請求項１５１から１５８のいずれかに記載の方法。
【請求項１６０】
入射光を感知するように構成された光センサであって、前記感知された光は、（１）光レイダーパルスの反射に相当する光と、（２）前記光レイダーパルスと異なる光パルスに相当する光と、を含み、前記光レイダーパルスおよび前記光パルスは同一パルスである光センサと、
（１）前記感知された光に相当する信号を複数のデジタルサンプルに変換し、（２）前記サンプルに対して遅延を適用することで、複数の遅延サンプルを生成し、（３）前記サンプルを前記遅延サンプルに対して相関させることで、最大出力を生み出す前記サンプルと前記遅延サンプルとの調整値を見つけ、（４）前記相関に基づいて前記光パルスと前記光レイダーパルスとのタイミング関係を求めるように構成された回路と、
を備える装置。
【請求項１６１】
前記回路が、前記求められたタイミング関係に基づいて前記光レイダーパルスによって目標に設定された測距点に関する範囲情報を計算するようにさらに構成される、
請求項１６０に記載の装置。
【請求項１６２】
光レイダーパルス反射に相当する前記光および前記光パルスに相当する前記光が、前記光センサによるその反射中に時間遅延によって分離され、
前記回路が、前記サンプルを前記遅延サンプルに対してサンプル単位でのシフト処理による相関を実行することで、前記最大出力がサンプルシフトの数に相当し、前記サンプルシフトの数が、前記時間遅延を示している、
請求項１６０から１６１のいずれかに記載の装置。
【請求項１６３】
前記光センサが、光検出器アレイを備え、前記光検出器アレイが、複数のアドレス指定可能な画素を備える、
請求項１６０から１６２のいずれかに記載の装置。
【請求項１６４】
前記回路が、前記光レイダーパルスを発信する光レイダー発信機の走査エリア内での前記光レイダーパルスによって目標とされる測距点の場所に基づいて、前記画素のどれが前記光を感知するために作動されるかを選択するようにさらに構成される、
請求項１６３に記載の装置。
【請求項１６５】
前記回路が、（１）前記遅延サンプルを補間し、（２）前記サンプルを前記補間された遅延サンプルに対して相関させることによって相関を実行することで、前記最大出力を生み出す調整値を見つけるようにさらに構成される、
請求項１６０から１６４のいずれかに記載の装置。
【請求項１６６】
（１）目標とされる測距点に向かって前記光レイダーパルスを発信し、（２）前記光センサに向かって前記光パルスを発信するように構成される光レイダー発信機をさらに備える、
請求項１６０に記載の装置。
【請求項１６７】
前記光レイダー発信機が、圧縮センシングを介して発信された光レイダーパルスによって複数の測距点を目標にするようにさらに構成される、
請求項１６６に記載の装置。
【請求項１６８】
前記発信機が、前記光レイダーパルスが前記測距点へと進み、前記光レイダーパルスの反射として前記光センサへと戻る光路と異なる光路を介して前記光センサへと前記光パルスを発信するように構成される、
請求項１６６から１６７のいずれかに記載の装置。
【請求項１６９】
光センサと、
アナログデジタル変換器（ＡＤＣ）と、
照合フィルタと、
を備える装置であって、
前記アナログデジタル変換器（ＡＤＣ）は、前記光センサと通信し、前記光センサによって感知された電気信号を複数のデジタルサンプルに変換し、前記電気信号が、前記光センサによって感知された光を表しており、
前記照合フィルタは、前記サンプルを処理して、前記サンプル内で表現される複数のパルス間の時間遅延を検出し、前記パルスは、共通の形状を呈する、
装置。
【請求項１７０】
（１）第１の光路を介して目標とされる測距点に向かって光レイダーパルスを送信し、（２）第２の光路を介して前記光センサに向かって光パルスを送信するように構成され、前記光レイダーパルスおよび前記光パルスが共通のパルス形状を共有する光レイダー発信機をさらに備え、
前記光センサが、（１）前記発信された光レイダーパルスの反射に相当する光と、（２）前記発信された光パルスに相当する光と含む入射光を感知するように構成され、
前記照合フィルタが、前記感知された光レイダーパルス反射と、前記感知された光パルスと、の前記時間遅延を検出するように構成される、
請求項１６９に記載の装置。
【発明の詳細な説明】
【技術分野】
【０００１】
関連特許出願に対する相互参照および優先権主張
本特許出願は、２０１６年２月１８日に出願された、「Ｌａｄａｒ  Ｒｅｃｅｉｖｅｒ」と題する米国仮特許出願第６２／２９７，１１２号に対する優先権を主張し、その開示全体は、参照により本明細書に組み込まれる。
【０００２】
本特許出願はまた、(１)２０１７年２月１０日に出願され、「Ａｄａｐｔｉｖｅ  Ｌａｄａｒ  Ｒｅｃｅｉｖｉｎｇ  Ｍｅｔｈｏｄ」と題する米国特許出願シリアル番号１５／４３０，１７９号、（２）２０１７年２月１０日に出願され「Ａｄａｐｔｉｖｅ  Ｌａｄａｒ  Ｒｅｃｅｉｖｅｒ」と題する米国特許出願シリアル番号１５／４３０，１９２号、(３)２０１７年２月１０日に出願され、「Ｌａｄａｒ  Ｒｅｃｅｉｖｅｒ  ｗｉｔｈ  Ａｄｖａｎｃｅｄ  Ｏｐｔｉｃｓ」と題する米国特許出願シリアル番号１５／４３０，２００号、(４)２０１７年２月１０日に出願され、「Ｌａｄａｒ  Ｓｙｓｔｅｍ  ｗｉｔｈ  Ｄｉｃｈｒｏｉｃ Ｐｈｏｔｏｄｅｔｅｃｔｏｒ  ｆｏｒ  Ｔｒａｃｋｉｎｇ  ｔｈｅ  Ｔａｒｇｅｔｉｎｇ  ｏｆ  ａ  Ｓｃａｎｎｉｎｇ  Ｌａｄａｒ  Ｔｒａｎｓｍｉｔｔｅｒ」と題する米国特許出願シリアル番号１５／４３０，２２１号、および(５)２０１７年２月１０日に出願され、「Ｌａｄａｒ  Ｒｅｃｅｉｖｅｒ  Ｒａｎｇｅ  Ｍｅａｓｕｒｅｍｅｎｔ  ｕｓｉｎｇ  Ｄｉｓｔｉｎｃｔ  Ｏｐｔｉｃａｌ  Ｐａｔｈ  ｆｏｒ  Ｒｅｆｅｒｅｎｃｅ  Ｌｉｇｈｔ」と題する米国特許出願シリアル番号１５／４３０，２３５号に対して優先権を主張し、これらの特許出願は全て、２０１６年２月１８日に出願され「Ｌａｄａｒ  Ｒｅｃｅｉｖｅｒ」と題する米国仮特許出願第６２／２９７，１１２号に対して優先権を主張し、その各々の開示全体は参照により本明細書に組み込まれる。
【０００３】
導入
特に自動車コンピュータビジョンなどの分野において、改良されたコンピュータビジョン技術に対して当分野において多大な要求があると考えられる。しかしながらこのような要求は、自動車コンピュータビジョンの市場に限定されるわけではなく、改良されたコンピュータビジョン技術に対する要望は、様々な分野にわたって広く普及しているため、限定するものではないが、自立型プラットフォームビジョン（例えば、自立型の陸上ベースの車両、自立型の空中車両など、空気、陸地（地面を含む）、水（水中を含む）および空間に関する自立型車両）、監視（例えば国境警備、空中のドローン監視など）、マッピング（例えば地下トンネルマッピング、空中ドローンを介するマッピングなど）、目標認識用途、リモートセンシング、安全性の警告（例えば運転手に対するなど））が含まれる。
【０００４】
本明細書で使用される際、用語「光レイダー」は、レーザレイダー、レーザ検知および測距、ならびに光検知および測距（「ライダー」）のいずれかを指し、これらを包含している。光レイダーは、コンピュータビジョンと関連して広く使用される技術である。１つの例示的な光レイダーシステムにおいて、レーザ源を含む発信機が、光レイダーパルスなどのレーザ出力を付近の環境へと発信する。その後、光レイダー受信機が、付近の環境内にある物体からこのレーザ出力の反射を受光し、光レイダー受信機は、受光した反射を処理して、係る物体までの距離（範囲情報）を求める。この範囲情報に基づいて、例えば障害物を回避するシナリオにおける経路のプランニング、航路定点の決定などの事態を計算することを望むホストプロセッサによって環境の幾何学形状のより明確な理解を得ることができる。しかしながら、コンピュータビジョンに対する従来の光レイダー解決法は、コストが高い、サイズが大きい、重量が重い、および出力要件が大きい、ならびにデータ帯域の利用が大きいという問題を抱えている。このことの最適な例は、自動運転車である。このような複雑な要因は、その効果的な利用を、短い範囲の視覚、狭い視野および／またはゆっくりとした再訪速度しか必要としないコストの高い用途に限定する。
【０００５】
このような問題を解決しようとする中で、改良された光レイダー受信機および／または改良された光レイダー発信機／受信機系に関するいくつかの実施形態が本明細書に開示される。例えば、本発明者等は、適応性のある光レイダー受信機に関するいくつかの実施形態および関連する方法を開示しており、そこでは、光レイダーパルスによって目標とされる測距点の場所に基づいて、アドレス指定可能な光検出器アレイの中の画素のサブセットが制御可能に選択される。さらになおも、本発明者等は、光検出器アレイのそのような適応性のある制御が増強されることで、いくつかある特徴の中でも特に雑音（光レイダー干渉を含む）を低下させ、ダイナミックレンジを最適化し、かつ散乱作用を軽減させる実施形態例を開示する。本発明者等は、光検出器アレイと組み合わせた種々の光学装置によっていかにして受信機を増強させることができるかを示している。これらの開示を通して、一部の実施形態に関する予測されるミリメートル規模の精度を含めた範囲の精密さの改善を達成することができる。これらのおよび他の実施形態例がより詳細に以下で説明される。
【図面の簡単な説明】
【０００６】
【図１Ａ】光レイダー発信機／受信機系の実施形態例を示す。
【図１Ｂ】光レイダー発信機が、事前走査圧縮を助けるために走査ミラーおよび測距点の絞り込みを利用する光レイダー発信機／受信機系の実施形態例を示す。
【図２】光レイダー受信機の実施形態例に関する一例のブロック図を示す。
【図３Ａ】結像式の検出光学装置が非結像式の集光器を利用する、光レイダー受信機に関する検出光学装置の実施形態例を示す。
【図３Ｂ】無限焦点の検出光学装置が非結像式の集光器を利用する、光レイダー受信機に関する検出光学装置の別の実施形態例を示す。
【図４】結像式の検出光学装置が結像式の集光器を利用する、光レイダー受信機に関する結像式検出光学装置の実施形態例を示す。
【図５Ａ】結像式光レイダー受信機に関する検出器に対して直接の実施形態の実施形態例を示す。
【図５Ｂ】非結像式光レイダー受信機に関する検出器に対して直接の実施形態の別の実施形態例を示す。
【図６Ａ】検出器アレイ内のどのセンサが信号処理回路に渡されるかを選択するためにマルチプレクサを利用する、光レイダー受信機内の読み出し回路に関する実施形態例を示す。
【図６Ｂ】図６Ａの実施形態例に関連して使用することができる光レイダーの受信方法の実施形態例を示す。
【図７Ａ】図６Ａの読み出し回路に対する信号処理回路に関する一実施形態例を示す。
【図７Ｂ】図６Ａの読み出し回路に対する信号処理回路に関する別の一実施形態例を示す。
【図８】マルチプレクサ制御信号を生成するための制御回路の実施形態例を示す。
【図９】ダイクロイック光検出器と組み合わせた光レイダー発信機の実施形態例を示す。
【図１０Ａ】光レイダー受信機が、パルス送信と、パルス検出との間の遅延を推定するために照合フィルタとして相関関係を利用する実施形態例を示す。
【図１０Ｂ】図１０Ａの実施形態例に関する性能モデルを示す。
【図１１Ａ】感知した光信号のＳＮＲを改善するためにフィードバック回路を利用する受信機の実施形態例を示す。
【図１１Ｂ】フィードバック回路設計に関連する別の実施形態例を示す。
【図１２】インテリジェントに制御された適応性のある光レイダー受信機に関するプロセスフローの例を示す。
【図１３Ａ】光レイダー受信機の実施形態例を示す。
【図１３Ｂ】図１３Ａの光レイダー受信機の実施形態の日中の利用に関する信号雑音比（ＳＮＲ）と範囲、ならびに付加的な受信機の特性のグラフを示す。
【図１４Ａ】別の一例の光レイダー受信機の実施形態を示す。
【図１４Ｂ】図１４Ａの光レイダー受信機の実施形態の日中の利用に関する信号雑音比（ＳＮＲ）と範囲、ならびに付加的な受信機の特性のグラフを示す。
【図１５】動作が強化された検出器アレイ活用の一例を示す。
【図１６】動作が強化された検出器アレイの追跡性能を示すグラフを示す。
【発明を実施するための形態】
【０００７】
図１Ａは、光レイダー発信機／受信機系１００の実施形態例を示している。系１００は、光レイダー発信機１０２および光レイダー受信機１０４を含み、各々が、系のインターフェースおよび制御装置１０６と通信している。光レイダー発信機１０２は、複数の光レイダーパルス１０８を複数の測距点１１０（例示を簡単にするために、１つの、例えば測距点１１０が図１Ａに示されている）に向けて発信するように構成されている。光レイダー受信機１０４は、測距点１１０からこの光レイダーパルスの反射１１２を受光する。光レイダー受信機１０４は、反射した光レイダーパルス１１２を受光し、これを処理することで、測距点の距離および強度情報の決定を助ける。革新的な光レイダー受信機１０４に関する実施形態例が以下に記載される。
【０００８】
実施形態例において、光レイダー発信機１０２は、図１Ｂによって示されるように、事前走査圧縮（これは「圧縮センシング」として本明細書で称することができる）を助けるために、走査ミラーを含み、測距点絞り込みアルゴリズムを利用する光レイダー発信機の形態を採ることができる。そのような実施形態はまた、環境シーンデータを光レイダー発信機に提供することで、測距点の絞り込みを助ける環境センシングシステム１２０を含んでよい。そのような光レイダー発信機の実施形態例は、２０１４年８月１５日に出願された米国特許出願シリアル番号６２／０３８，０６５号、米国特許出願公開番号第２０１６／００４７８９５号、２０１６／００４７８９６号、２０１６／００４７８９７号、２０１６／００４７８９８号、２０１６／００４７８９９号、２０１６／００４７９０３号および２０１６／００４７９００号に見いだすことができ、これらの各々の開示は全て参照により本明細書に組み込まれる。事前走査圧縮の利用を通して、係る光レイダー発信機は、インテリジェントな測距点の目標の選択を通して帯域をより最適に管理することができる。
【０００９】
図２は、光レイダー受信機１０４の実施形態例に関する一例のブロック図を示している。光レイダー受信機は、反射した光レイダーパルス１１２を含む光を受光する検出光学装置２００を備える。検出光学装置２００は、光センサ２０２と光学式に通信しており、光センサ２０２は、感知された反射した光レイダーパルス１１２を示す信号を生成する。信号読み出し回路２０４が、センサ２０２によって生成された信号を読み取り、測距点に関するデータ形成（例えば測距点の距離情報、測距点の強度情報などの計算）のために使用される信号データを生成する。光レイダー受信機１０４は、図２によって示されない追加の構成要素を含む場合があることを理解されたい。図３Ａ〜図５Ｂは、光レイダー受信機１０４と共に使用され得る検出光学装置２００の種々の実施形態例を示している。光センサ２０２は、複数の個々にアドレス指定可能な光センサのアレイを備えてよい（例えばｎ個の素子の光検出器アレイ）。実施形態例として、光センサ２０２は、シリコンＰＩＮアレイ（例えばＩｎＧａＡｓＰＩＮアレイ）の形態を採ることができる。別の実施形態例として、光センサ２０２は、シリコンアバランシェフォトダイオード（ＡＰＤ）アレイ（例えばＩｎＧａＡｓ  ＡＰＤアレイ）の形態を採る場合もある。読み出し回路２０４は、いくつかの形態（例えば読み出し集積回路（ＲＯＩＣ））を採ることができ、読み出し回路に関する実施形態例が以下に記載される。
【００１０】
図３Ａは、非結像式の集光器３０２を利用する光レイダー受信機１０４に関する検出光学装置２００の実施形態例を示す。このように複合放物面型集光器などの非結像式集光器３０２は、その出射開口において、その入射固定ひとみ３０４における像平面を、この光センサと結合された光センサ２０２上に再結像することはない。そのような実施形態例に関して、光の焦点を合わせるための結像系を含むレンズ３００が、非結像式集光器３０２と光学式に通信している。図３Ａの例において、レンズ３００は、たとえ結合された光センサのところに実際の映像が存在しなくても、レンズが、集光器３０２の入射ひとみ３０４のところで光の焦点を合わせる（像平面）ように位置決めされ、そのように構成される。
【００１１】
図３Ｂは、非結像式の集光器３０２を利用する検出光学装置２００の別の例の実施形態を示している。そのような実施形態例の場合、無限焦点レンズ群３１０が、非結像式集光器３０２と光学式に通信している。集光器３０２は、入射ひとみ３０４を含み、それは、その出射開口において光センサ２０２と結合させることができる。図３Ｂの例では、レンズ３１０は、無限焦点レンズ群の入射ひとみが、集光器３０２の入射ひとみ３０４において再結像されるように位置決めされ、そのように構成される。本発明者はまた、専門家によって所望される場合、図３Ｂの実施形態は、無限焦点レンズ３１０を省く場合もあり得ることも指摘している。
【００１２】
図３Ａおよび図３Ｂの実施形態例に関して、集光器３０２は、ファイバテーパ集光器または複合放物面型集光器などの形態を採ることができる。一例のファイバテーパ集光器は、Ｓｃｈｏｔｔより入手可能であり、一例の複合放物面型集光器は、Ｅｄｍｕｎｄｓ  Ｏｐｔｉｃｓより入手可能である。
【００１３】
図３Ａおよび図３Ｂの実施形態例は、専門家に様々な利点を提供する。例えばこのような実施形態例によって、光センサ２０２のために比較的小さい検出器アレイを利用することが可能になる。別の例として、このような実施形態は、それらが検出器の受光角を検出器のサイズと引き換えにし、ならびにＳＮＲを高い調整不良の許容範囲と引き換えにする機会を専門家に与えるため有益であり得る。しかしながら図３Ａおよび図３Ｂの実施形態が、他の実施形態に対して最適なＳＮＲを生み出すわけではない。
【００１４】
図４は、結像式集光器３２０を利用する検出光学装置２００の実施形態例を示している。このように、結像式集光器３２０は、その入射ひとみ３０４において受光した像を光センサ２０２上に再結像する。そのような実施形態例に関して、光の焦点を合わせるための結像系を含むレンズ３００は、結像式集光器３２０と光学式に通信している。レンズは、レンズが集光器３２０の入射ひとみ３０４のところで光の焦点を合わせ（像平面）、集光器３２０が、この光を結合された光センサ２０２上に結像するように位置決めされ、そのように構成されている。実施形態例において、集光器３２０は、コヒーレントなファイバテーパ集光器の形態を採ることができる。一例のコヒーレントなファイバテーパ集光器は、Ｓｃｈｏｔｔより入手可能である。
【００１５】
図４の実施形態例もまた、専門家に対して様々な利点を提供する。例えば、図３Ａおよび図３Ｂの例でのように、図４の実施形態例によって、光センサ２０２のために比較的小さい検出器アレイを利用することが可能になる。この実施形態もまた、検出器の受光角を検出器のサイズと引き換えにし、ならびにＳＮＲを高い調整不良の許容範囲と引き換えにする機会を専門家に与えるために有益であり得る。図３Ａ／図３Ｂの実施形態例に対する図４の実施形態例の利点は、図４の実施形態例は概してより高いＳＮＲを生み出すことである。
【００１６】
図５Ａは、光レイダー受信機１０４に関する「検出器に対して直接の」検出光学装置２００の実施形態例を示している。そのような実施形態例に関して、光の焦点を合わせるための結像系を含むレンズ３００が、光センサ２０２と光学式に通信している。レンズ３００は、レンズが光センサ２０２上に直接光の焦点を合わせる（像平面）ように位置決めされ、そのように構成されている。よって、図３Ａおよび図４の実施形態とは異なり、レンズ３００と光センサ２０２との間に集光器は存在していない。
【００１７】
図５Ｂは、光レイダー受信機１０４に関する「検出器に対して直接の」検出光学装置２００の別の実施形態例を示している。そのような実施形態例に関して、無限焦点レンズ３１０が、光センサ２０２と光学式に通信している。レンズ３１０は、レンズひとみが光センサ２０２上に直接再結像されるように位置決めされ、そのように構成されている。本発明者はまた、専門家によって所望される場合、図５Ｂは、無限焦点レンズ３１０を省く場合もあることを指摘している。
【００１８】
図５Ａおよび図５Ｂの実施形態例は、光センサ２０２に関して（他の実施形態に対する所与の系視野角（ＦＯＶ）に関して）より大きな検出器アレイを必要とすると予測されるが、それらは極めて優れたＳＮＲを呈することも予測される。図５Ａの実施形態と、図５Ｂの実施形態のどちらかと言うと、図５Ａの実施形態は一般に、図５Ｂの実施形態より優れたＳＮＲを呈するが、図５Ｂの実施形態は一般に、調整不良に対してより寛容であることが予測される（これは図５Ｂの実施形態がより製造し易いことを意味している）。
【００１９】
検出光学装置２００は、専門家によって所望される場合、光センサ２０２に対して像平面の不完全な結像作業を行うように設計される場合があることも理解されたい。これは、幾分「ぼやけた」画像が生じることになるが、そのようなぼやけは、低フィルファクターの検出器アレイに関連するいくつかの用途および／または状況にとっては好適な場合もある。
【００２０】
図６Ａは、検出器アレイ６００の中のどのセンサ６０２が信号処理回路６０６に渡されるかを選択するのにマルチプレクサ６０４を利用する光レイダー受信機内の読み出し回路２０４に関する実施形態例を示している。この実施形態例では、光センサ６０２は、複数の個別にアドレス指定可能な光センサ６０２を備える検出器アレイ６００の形態を採る。各光センサ６０２は、アレイ６００の１つの画素として特徴付けることができ、各光センサ６０２は、入射光に応答してその独自のセンサ信号６１０を生成する。よって、アレイ６００は、複数の光検出器の画素を備える検出領域を有する光検出器を備えることができる。図６Ａの実施形態は、読み出し回路２０４が、所与の時間に信号処理回路６０６に渡される到来するセンサ信号６１０を分離することを可能にするマルチプレクサ６０４を利用する。そうする中で、図６Ａの実施形態は、センサ読み出しを選択的に分離するための能力が開示されないＵＳＰＮ８，０８１，３０１によって開示されるものなどの光レイダー受信機の設計と比べて、とりわけ周辺の受動光に対して、より最適な受信されるＳＮＲを提供する。よって、信号処理回路６０６は、１回につき単一の到来するセンサ信号６１０（または到来するセンサ信号６１０のいくつかのサブセット）に対して作用することができる。
【００２１】
マルチプレクサ６０４は、反射した光レイダーパルスを検出する要望を満たすのに十分に高い切り換え率を提供する任意のマルチプレクサチップまたは回路であってよい。実施形態例では、マルチプレクサ６０４は、検出器アレイ６００のセンサ６０２によって生成される光電流信号を多重送信する。しかしながら、マルチプレクサ６０４が、検出器アレイ６００のセンサ６０２によって生成される結果として生じる電圧信号を多重送信する他の実施形態が使用される場合もあることを理解されたい。さらに、図６Ａの読み出し回路２０４を含む光レイダー受信機が、事前走査圧縮センシングを利用する走査光レイダー発信機と対にされる実施形態例では（例えば、上記で参照され組み込まれた特許出願に記載される測距点絞り込みを利用する実施形態例など）、光レイダー発信機によって実現される測距点の選択的な目標設定作業は、マルチプレクサ６０４によって提供される選択的な読み出しと最適に対になることで、受信機は、ＳＮＲを改善するための努力において検出器の読み出しを対象の画素に対して隔離することができる。
【００２２】
制御回路６０８は、到来するセンサ信号６１０のうちのどれが信号処理回路６０６に渡されるかを管理する制御信号６１２を生成するように構成することができる。図６Ａの読み出し回路２０４を含む光レイダー受信機が、走査パターンに従って事前走査圧縮センシングを利用する走査光レイダー発信機と対にされる実施形態例では、制御信号６１２は、マルチプレクサを、発信機のショットリストにならうあるパターンで（係る発信機によって利用され得るショットリストの例が、上記で参照され組み込まれた特許出願に記載される）個々の光センサ６０２に選択的に接続させることができる。制御信号６１２は、ショットリストを介して測距点の目標設定にならうあるパターンでアレイ６００内のセンサ６０２を選択することができる。よって、発信機が光レイダーパルスによって画素ｘ、ｙを目標に設定した場合、マルチプレクサ６０４は、検出器アレイ６００からの画素ｘ、ｙの読み出しを生じさせる制御信号６１２を生成することができる。図８は、制御回路６０８に関する実施形態例を示す。制御回路６０８は入力としてショットリスト８００を受け取る。このショットリストは、光レイダー発信機によって測距点として目標設定されるべきフレーム内の画素の順序付けリストである。８０２において、制御回路は、ショットリスト上の測距点／目標画素のうちの最初のものを選択する。８０４において、制御回路は、選択した測距点を検出器アレイ６００のセンサ／画素（または複合画素／スーパーピクセル）にマップする。８０６において、制御回路はその後、マルチプレクサに、検出器アレイ６００のマップされたセンサ／画素（または複合画素／スーパーピクセル）を読み出させるのに有効な制御信号６１２を生成する。８０８において、制御回路は、ショットリスト上の次の測距点／目標画素へと進み、作業８０２に戻る。必要であれば、制御回路６０８は、各画素を目標にする光レイダーパルスに関して往復時間を考慮するためにタイミングゲートを含むことができる。
【００２３】
制御信号６１２は、１回につき単一のセンサ６０２を選択するのに有効であり得る、またはそれは１回につき複数のセンサ６０２を選択するのに有効である場合もあり、そのようなケースでは、マルチプレクサ６０４は、信号処理回路６０６によるさらなる処理のために、到来するセンサ信号６１０のサブセットを選択することを理解されたい。そのような複数のセンサは、複合画素（またはスーパーピクセル）と呼ばれる場合もある。例えば、アレイ６００は、ＪｘＫグリッドの複合画素に分割されてよく、その場合、各複合画素は、Ｘ個の個々のセンサ６０２で構成される。加算機回路を、検出器アレイ６００と、マルチプレクサ６０４との間に位置決めすることができ、この場合、各加算機回路は、単一の複合画素に相当し、その対応する複合画素を構成する画素からの読み出し（センサ信号６１０）を合計するように構成される。
【００２４】
また専門家は、所望であれば、検出器アレイ６００とマルチプレクサ６０４との間にいくつかの事前増幅回路を含むことを選ぶ場合もあることも理解されたい。
【００２５】
図６Ｂは、図６Ａの実施形態例に対応する一例の光レイダー受光方法を描いている。ステップ６２０において、光レイダーパルスが目標とされる測距点に向かって発信される。上記で指摘したように、視野内の走査エリアにおけるこの目標とされる測距点の場所は、光レイダー発信機によって知ることができる。この場所は、以下で説明するように、光レイダー発信機から光レイダー受信機に伝えられる、または光レイダー受信機自体によって特定される場合もある。
【００２６】
ステップ６２２において、目標とされる測距点の場所に基づいて、検出器アレイ６００内の画素のサブセットが選択される。図８に関連して指摘したように、走査エリア内の画素ｘ１、ｙ１が目標に設定された場合、これを検出器アレイ６００内の画素ｊ１、ｋ１に変換することができるように、検出器アレイ６００の画素と走査エリア内の場所との間にマッピング関係を築くことができる。サブセットは、検出器アレイ６００の単一の画素しか含まない場合もあるが、多くのケースでは、サブセットは、複数の画素（例えば目標とされる測距点が、その特有の画素を取り囲むいくつかの数の画素を加えるようにマップする特有の画素）を含むことを理解されたい。そのような周辺の画素も、測距点の光レイダーパルス反射からエネルギーを受け取ることを予測することができるが、このエネルギーは、特有の画素より低くなることが予測される。
【００２７】
ステップ６２４において、検出器アレイ６００内の選択された画素のサブセットは、入射光を感知するが、これは、ステップ６２０において送信された光レイダーパルスの反射／戻りを含むことが予測される。選択されたサブセットに含まれる各画素はよって、入射の感知した光に応じて信号を生成する（ステップ６２６）。複数の画素が、選択されたサブセットに含まれる場合、これらの生成された画素固有の信号は、選択されたサブセットの画素の全てに対する入射の感知した光に相関する集合信号へと結合させることができる。選択されたサブセットに含まれない検出器画素もまた、そのような画素によって感知された光を示す出力信号を生成することができるが、システムは、ステップ６２６〜６３０においてこのような信号は利用しないことを理解されたい。さらに、システムは、ステップ６２４および６２６における読み出しの前に、選択されたサブセット内の画素を「ゼロに設定」し、そのような画素上に既に存在し得る任意の漂遊する／事前に存在する光の作用を排除するように構成され得ることも理解されたい。
【００２８】
ステップ６２８において、ステップ６２６において生成された光検出器信号が処理される。一例として、光検出器信号は、増幅されデジタル化されることで、反射した光レイダーパルスに基づいた範囲および強度情報の解明作業を目的とするさらなる処理作業を可能にする。そのような処理作業の例が以下でさらに考察される。
【００２９】
ステップ６３０において、ステップ６２８における光検出器信号の処理作業に基づいて目標とされる測距点に関する範囲情報が計算される。この範囲の計算は、いくつかの技術のいずれかに依拠してよい。また計算された範囲情報は、光レイダーシステム１００と目標とされる測距点１１０との間の距離を示す任意のデータであってよい。例えば計算された範囲情報は、発信機１０２から目標とされる測距点１１０までの光レイダーパルス１０８と、目標とされる測距点１１０から受信機１０４に戻る反射した光レイダーパルス１１２とに関する通過の時間の推定値であってよい。係る通過時間情報は、光レイダーシステム１００と、目標とされる測距点１１０との間の距離を示している。例えば、範囲の計算は、光レイダーパルスが発信されたときと、反射した光レイダーパルスがステップ６２８において処理済みの信号内で検出されたときとの時間遅延の測定値に依拠する場合がある。そのような範囲の計算を支援するための技術の例が以下で考察される。
【００３０】
図６Ｂのプロセスフローは、光レイダーパルスが光レイダー発信機によって目標設定された場所に基づいて、検出器アレイ６００の有効な感知領域が変化する適用性のある光レイダー受光方法を説明することを理解されたい。そうする中で、雑音の有意な削減および範囲の解明の改善が達成されると考えられている。さらに、以下でより詳細に説明するように、検出器画素のサブセットが、感知された光から取り出される情報に基づいて適応可能に選択されることで、さらに性能を改善することができる。
【００３１】
図６Ａに戻ると、信号処理回路６０６は、マルチプレクサ６０４によって渡される選択されたセンサ信号（複数可）を増幅し、増幅された信号を、光レイダー測距点に関する範囲情報および／または強度を示す処理済みの信号データに変換するように構成することができる。信号処理回路６０６の実施形態例が、図７Ａおよび図７Ｂによって示される。
【００３２】
図７Ａの例では、信号処理回路６０６は、選択されたセンサ信号（複数可）を増幅する増幅器７００と、増幅された信号を複数のデジタルサンプルに変換するアナログデジタル変換器（ＡＤＣ）７０２と、デジタルサンプルに対していくつかの処理作業を行うことで処理済みの信号データを生成するように構成されたフィールドプログラマブルゲートアレイ（ＦＰＧＡ）とを備える。
【００３３】
増幅器７００は、例えば低雑音ＲＦ増幅器または低雑音で動作可能な増幅器などの低雑音増幅器の形態を採ることができる。ＡＤＣ７０２は、ＮチャネルＡＤＣの形態を採ることができる。
【００３４】
ＦＰＧＡ７０４は、デジタルサンプルを処理し、反射した光レイダーパルスに基づいた測距点に関する範囲および／または強度についての情報を最終的に返すように構成されたハードウェアロジックを含む。実施形態例において、ＦＰＧＡ７０４は、ＡＤＣ７０２によって生成されたデジタルサンプルに対してピーク検出を行うように構成される場合もある。実施形態例において、係るピーク検出は、範囲情報を＋／−１０ｃｍの範囲内で計算するのに有効であり得る。ＦＰＧＡ７０４はまた、サンプルが多項式に対する曲線適合を有するデジタルサンプルに対して補間を実施することで、検出されたピークがどこで曲線に適合するかをより精密に特定する補間を支援することもできる。実施形態例において、そのような補間は、＋／−５ｍｍの範囲内で範囲情報を計算するのに有効であり得る。
【００３５】
図７Ａに示されるものなどの信号処理回路を利用する受信機が、上記に参照され組み込まれた特許出願に記載されるような圧縮センシングを利用する光レイダー発信機と対にされた場合、受信機は、検出されたパルスに対して信号処理を実行するためにより多くの時間を有することになるが、これは光レイダー発信機が、従来式の発信機よりも、フレーム当たり空気中により少ない数の光レイダーパルスを発射するためであり、このことは信号処理回路に対してかかる処理の負担を軽減する。さらに、処理の性能をさらに高めるために、ＦＰＧＡ７０４は、検出された信号の異なる部分がＦＰＧＡの異なるハードウェアロジックリソースによって同時に処理され、これにより各測距点について正確な範囲および／または強度情報を計算するために必要とされる時間をさらに短縮するように、ＦＰＧＡの並行なハードウェアロジックリソースを活用するように設計することもできる。
【００３６】
さらに、図７Ａの信号処理回路は、検出を最大にするためにＦＰＧＡが信号データ上で担うことができる信号処理作業に起因して、低ＳＮＲを呈する到来する信号と共に機能することが可能である。
【００３７】
図７Ｂの例では、信号処理回路６０６は、選択されたセンサ信号（複数可）を増幅する増幅器７００と、増幅された信号を、感知された光（反射した光レイダーパルスを含む）を表す複数のデジタルサンプルに変換する時間デジタル変換器（ＴＤＣ）７１０とを備える。ＴＤＣは、ピークホールド回路を利用して、検出された信号におけるピークがいつ到達するかを検出し、またピークホールド回路と組み合わせてタイマーとしてランプ回路を利用することもできる。ＴＤＣ７１０の出力はこのとき、測距点に関する範囲情報を規定するのに使用することができるピーク間のタイミングを表す一連のビットであってよい。
【００３８】
図７Ｂの信号処理回路は一般に、到来する信号が図７Ａの実施形態よりも高いＳＮＲを呈することを必要とするが、図７Ｂの信号処理回路は、範囲に対する高い分解能（例えばピコ秒の分解能）を提供することが可能であり、実装するのに図７Ａの実施形態ほど費用が高くないことにより利益を与える。
【００３９】
図９は、光レイダー発信機１０２および光検出器９００を使用して、光レイダー発信機（その走査ミラーを介して）が目標に設定した場所に関する追跡情報を光レイダー受信機１０４に提供する実施形態例を開示している。この例では、光検出器９００は、走査ミラーの光学的に下流に（例えば光レイダー発信機１０２からの出力のところに）位置決めされ、この場合、この光検出器９００は、（１）光レイダーパルス１０８によって呈示される周波数を包含する範囲（この場合この周波数の範囲は、透過性の周波数範囲と呼ばれてよい）内の周波数を呈示する入射光に対する有効な透過性窓として、および（２）透過性の周波数範囲内にない周波数を呈示する入射光に関する光検出器として作用する。よって、光検出器のドープされた／固有の層および基板が選択され得ることで、光レイダーパルス１０８は、透過性の周波数範囲内になり、その一方で別の周波数における光は、吸収され検出される。入射光の周波数に基づいた伝播性と、吸収／検出のこのような二重の特性を呈する光検出器の領域は、光学的に透過性の／伝播性のケーシングの中に収容することができる。光検出作用を支援する光検出器９００の電子回路は、透過性／伝播性である必要がない光検出器９００の別の領域に収容することができる。そのような光検出器９００は、ダイクロイック光検出器と呼ばれる場合がある。
【００４０】
図９の光レイダー発信機１０２は、光検出器９００によって吸収され、光検出器出力信号９０４（例えば光電流ｑ）に変換される周波数で光９０２を出力する第２の光源（例えば第２の口径照準式光源）を装備している。光９０２は、レーザ光、ＬＥＤ照明、または光検出器９００による精密な局所化された検出に適した任意の他の光であってよい。光レイダー発信機１０２は、光９０２を光レイダーパルス１０８と整列させることができるため、走査ミラーは、光レイダーパルス１０８と同じやり方で光９０２を誘導する。光検出器の出力信号９０４は、光９０２が光検出器９００に当たる場所のｘ、ｙ位置を示している。光９０２と光レイダーパルス１０８が整列することによって、これは、信号９０４もまた、光レイダーパルス１０８が光検出器９００に当たる（およびこれを通過する）場所を示すことを意味している。したがって信号９０４は、発信機のミラーが走査する際に光レイダー発信機が目標に設定した場所を追跡する追跡信号として機能する。各々の光レイダーパルスが発信機１０２によっていつ発射されるかを知ることによって、追跡信号９０４をこのように利用することで、光レイダーパルス１０８が測距点１１０に向けて発射される際、光レイダー発信機が目指していた場所を特定することができる。我々は以下で、このような発射に関するタイミングの認識をどのようにして達成することができるかを考察する。追跡信号９０４はその後、光レイダー受信機１０４内の制御回路によって、またはシステム内の他の知的装置によって処理されることで、光レイダーパルス１０８が発射されたとき、光レイダー発信機１０２が目標にした場所を追跡することができる。発信機が目標にした場所を正確に知ることによって、システムは、受信機によって収集されるデータの改善された位置の場所を獲得することが可能である。本発明者等は、システムは、１０ｍｒａｄ前後のビーム広がりに関して１ｍｒａｄまたはより最適なビーム指向精度を達成することができると予測する。これにより、未処理の光回折限界値を上回る測距点の十分な戻りに対する位置情報を獲得するためのその後の処理作業が可能になる。
【００４１】
我々はここで、レーザ光に関する送信時間と、受光時間とを考察する。図１０Ａは、実施形態例を開示しており、この場合、発信機１０２から測距点に向かって、および光レイダーパルス反射１１２を介して受信機１０４に戻る光レイダーパルス１０８が採る光路と異なる光路が、光レイダー発信機１０２と光レイダー受信機１０４との間に設けられており、距離の精度を高めるために、これを介して発信機１０２から受信機１０４へと基準光１０００が伝えられる。さらに、この別個の光路は、光検出器６００が、基準光１０００の鮮明なコピーを受信することを保証するのに十分である。
【００４２】
この別個の光路は、発信機１０２から受信機の光検出器６００への直接の光路であってよい。そのような直接の光路によって、基準光１０００を受信機の光検出器６００に送るためのミラーまたはファイバーオプティクスに関連する余剰のコストを回避することができる。例えば、発信機と受信機が横並びの空間配置である構成において、受信機１０４は、光を発信機１０２から光検出器６００へと通すピンホールなどを含むことができる。実際には、このような直接の光路は、レーザが送信する出力は、受光されるレーザ戻り信号より著しく強力であるため容易に保証することができる。例えば、１Ｋｍのところで、１ｃｍの受光ひとみを有し、１０％の反射率である場合、受信機によって感知される反射した光は、発信機の出力における光よりも１０億倍以上も小さくなる。このことからして、１０４における光レイダー受信機のケーシング内の小さいｕｍ規模のピンホールは、ケーシングがミラーの出力９０４から下流に位置決めされた状態で、この直接的な結合を確立するのに十分である。別の実施形態において、ファイバーオプティクス供給装置は、メインのファイバレーザ源から分割され、基準光１０００を、ひずみを生じることなく、光検出器へと誘導するのに使用される直接の光路を提供することができる。
【００４３】
光レイダーパルス１０８が環境へと発射される際、正確な時間に、かつ正確な場所で発生させた基準光１０００は、範囲の決定において使用するための時間遅延測定を促進するために光レイダーパルス１０８と同一のパルスであってよい。換言すると、基準光１０００は、場に送信されるものと同一のパルス形状を有する光子を含む。しかしながら場からの光レイダーパルス反射とは異なり、基準光のパルスは、雑音や広がりを持たないため完璧である。
【００４４】
よって、図１０Ａにおける光レイダー受信機１０４の拡大された図の例に示されるように、光検出器６００は、別個の光路を介して基準パルス１０００を受光し、その後、反射された光レイダーパルス１１２を受光する。光検出器６００によって感知された信号はその後、ＡＤＣ１００２によってデジタル化され、２つのチャネルに分けることができる。第１のチャネルにおいて、遅延回路／操作者１００４が、デジタル化された信号１００６を遅延させて、遅延信号１００８を生成する。遅延信号１００８はその後、相関演算１０１０を介してデジタル化された信号１００６と比較される。この相関演算は、（既知の）パルス長と等しい、またはそれを超える時間間隔にわたって合計された各項１００６、１００８の乗算であってよい。信号１００６は、相関演算１０１０を介して信号１００８にわたって有効にスライドするため、相関出力１０１２は、２つの信号が互いと調整されたとき、最大値に達することになる。この調整は、基準パルス１０００と反射パルス１１２との間の遅延を示しており、この遅延は高分解能の範囲決定に使用することができる。例えば、基準光信号１０００が、反射した光レイダーパルス１１２よりも３デジタルサンプル早く到達したと仮定されたい。このような２つの信号が全く同じであり（反射においてパルスの広がりがない）、かつ像縮尺{１，２，１}の範囲内で等しい、すなわち送信パルスが、３サンプル持続すると仮定する。このとき、１００４において遅延ゼロの場合、パルス長を２回合計すると、出力は、{１，２，１，０，０，０}掛ける{０，０，０，１，２，１}である。次に、１００４において１サンプルだけ遅延させると仮定する。このとき出力は、和［{０，１，２，１，０，０}掛ける{０，０，０，１，２，１}]＝１である。再度１サンプルだけ遅延を増大させた場合、相関出力１０１２として４を獲得する。次のサンプル遅延の増大に関して、６の相関出力を獲得する。このとき、次のサンプル遅延の増大に関して、４の相関出力を獲得する。次の２つのサンプル遅延の増大に関して、１の相関出力と、その後のゼロの相関出力をそれぞれ獲得する。この３番目のサンプル遅延が、最大の相関出力を生み出し、基準光と反射した光レイダーパルスとの間の遅延を正確に見つける。さらに、１ｋｍの距離ならば、発信機は、毎秒毎に１５０，０００パルスを発射することが可能であると予測することができ、受信機が、光レイダーパルス反射１１２から戻ってくる光がない状態で基準光１０００の鮮明なコピーを受け取ることを保証するのに十分なタイミングのゆとりがあると予測される。図１０Ａによって示される遅延および相関回路は、照合フィルタと呼ばれる場合もある。照合フィルタは、ＦＰＧＡまたは、信号処理回路６０６の一部を形成する他のプロセッサ内に実装することができる。
【００４５】
図１０Ａの例は、受信機の中の光検出器６００およびＡＤＣ１００２を示しているが、戻りパルス１１２および基準パルス１０００を検出するのに別個の光検出器が使用される場合もあることを理解されたい。また、このような光検出器からの出力をデジタル化するのに別個のＡＤＣが使用される場合もある。しかしながら、戻りパルス１１２と基準パルス１０００によって共有される単一の光検出器およびＡＤＣの使用は、性能の低下を生じることなく、実装においてコスト削減を生み出すと考えられている。また、サンプル化された戻りパルス１１２の補間は、パルス１０００を基準として利用することによって同様に実行することができる。上述したプロセスを利用して行われたピークの発見の後、システムは最初に、基準光信号を補間することができる。これは、三次式近似、正弦関数、ゼロ詰めおよびＦＦＴなどの任意の所望される補間法を用いて行うことができる。システムはこのときピーク値の前後の受信信号を補間し、上述したプロセスを繰り返す。新たなピークは、このとき補間された値である。先の例に戻ると、基準光パルスを補間して{１，１．５，２，１．５，１，０，０，０，０，０，０}を獲得し、受光パルスを同様に補間して{０，０，０，１，１，５，２，１，５，１}を獲得すると仮定する。このとき、システムは、スライドし、増倍し、合計する。光レイダー戻り補間のみを単に「信頼すること」に対する上記の利点は、基準光との相関が光レイダー戻りからの雑音を除去することである。
【００４６】
基準パルス１０００を、形状の点で光レイダーパルス１０８と同じようにすることは、範囲の検出における精度の改善に貢献するが、その理由は、このような構成が、ショット間のパルス１０８における変化を考慮することが可能であるためである。具体的には、パルスエネルギー較正（これは単に送信時のエネルギーを測定する技術である）を利用して、範囲は形状より改善され、反射率の測定は、強度によって改善される。範囲の場合は、図１０Ｂによって示されるモデル化の結果において明らかにされる。図１０Ｂの垂直軸は、±ｘｃｍで測定された、すなわちｃｍで測定されたｘ標準の偏差の範囲の精度であり、図１０Ｂの水平軸はＳＮＲである。このモデルは、１ｎｓの全幅の１／２の最大ガウスパルスに適用される。図１０Ｂにグラフ化された底部ラインは、理想のケースである。その付近の実線１２１は、２ＧＨｚＡＤＣに関して商業的に容易に入手可能なジッターレベルである１ピコ秒のタイミングジッターの場合のＡＤＣに関するグラフである。１２１の下に示される２つの曲線の性能を比較することによって、図１０Ｂから、ジッターは、ｃｍ以下の分解能を達成する際の制約要因でないことが分かる。具体的には、下の曲線（ジッターなし）と、上の曲線（ジッター）は、極めて高い（および通常な達成不可能な）ＳＮＲ［１０００以下]において１ミリメートルしか違わない。しかしながらパルス変動は、有意な制限である。このことは１２０によって示されており、これは、商業的なナノ秒パルスの光レイダーシステムにおける共通の限界値であり、これは５％のパルス間の形状変化の場合に利用可能な性能である。１２０と１２１の差は、ＳＮＲに相関したピークの発見と、補間法の両方に関して、開示される図１０Ａの技術の実施形態例によって達成される改善点である。
【００４７】
この手法の計算の複雑さが、既存のＦＰＧＡ装置の範囲内において十分であることを指摘することによって、範囲の精度の考察を終結する。一実施形態において、相関および補間は、これ以前の閾値が、反射した光レイダーパルスから到達するデータによって抹消された後、実践することができる。このことは、性能コストなしで複雑さを大きく低下させる。相関および補間の目的は、検出そのものではなく測距を改善することを思い出されたく、そのためこのような演算を遅延させ、それらを検出された範囲の戻りの近傍付近のみに適用することは、性能を損なわずに計算を効率化する。典型的には、それがそれだけ短いために、３つのサンプルのみが基準光パルスから選ばれる。３次モデルを用いるこの２０倍の補間作業は、およそ２００の演算しか必要とせず、ショット当たり１回行われ、名目上１００，０００ショットを伴う。光レイダー受信パルスに対する総負担事前照合フィルタおよび補間は、２０Ｍｆｌｏｐである。処理のために最大の、最初と最後のパルスを選択した場合、これは、現在商業的な装置において利用可能なテラフロップスと比較して１００Ｍｆｌｏｐ未満まで高まる。
【００４８】
さらに、図１１Ａは、フィードバック回路１１００を利用して有効なセンサ／画素６０２によって感知される信号のＳＮＲを改善する受信機設計の実施形態例を開示している。フィードバック回路１１００は、受光した光レイダーパルス戻り１１２（この場合、光レイダーパルス１０８および戻りパルス１１２は実施形態例においてガウスパルス形状を呈することができる）と共振状態にあり、これにより信号を強化し、雑音を抑制する照合ネットワークとして構成することができる。光検出器の性能は、ピッチ（各素子のエリア）および帯域に相関している。受動的な結像装置は入射の一時的な信号構造の事前の認識を欠いており、よって性能を調整する能力を持たない。しかしながら光レイダー発信機が圧縮センシングを利用する実施形態例では、送信された光レイダーパルス１０８は、それが指定された距離幅の範囲内の到達時間であるため認識されている。この認識によって、検出器の電流をフィルタにかけ、信号強度を増大させ、かつ受信機の雑音をフィルタにかける照合ネットワークフィードバックループを促進することができる。フィードバック回路によって提供されるフィードバックゲインは、制御回路からの制御信号１１０２を介して制御することができる。さらに、制御回路６０８は、受信機に関する作動状態についてより多くの情報を得るために、信号処理回路６０６と通信することもできることを理解されたい。
【００４９】
フィードバック回路１１００の照合ネットワークは、ＲＦ結合ノイズおよびクロスチャネルインピーダンスノイズを最小限にするために検出器６００のＩｎ-ＧａＡｓ基板に埋め込まれてよい。検出器のチップ上に照合ネットワークを加えるコストは最低限である。さらに、この照合作用によって、通常利用可能なものより、我々がより最適な暗電流、周辺光およびジョンソンノイズの抑制を実現することが可能になる。このことは必要とされるレーザ出力をさらに低下させ、これは、光レイダーパルス１０８の１．５μｍの波長と組み合わされた場合、非常に目に安全な解決策を導く。照合ネットワークは、複数の電極、増幅器および段を備えたより複雑な照合ネットワークで構成することができる。しかしながら単一の電極でも既に有意な利点を提供する。信号処理回路６０６への入力は、マルチプレクサ、フィードバックの複雑さ、または画素のサイズの変動性にもかかわらず、このカーネルの畳み込みおよび乗法による不変性により、ガウスであり得ることに留意されたい。
【００５０】
図１１Ｂは、フィードバック回路１１００をどのように設計することができるかについて展開する一例を示す。照合ネットワークは、制御回路６０８が備え付けるゲイン制御装置によって制御されたフィードバックループ１１０４内に１つまたは複数の増幅器１１０２を含む。照合ネットワークは、ｍｕｘ６０４への全ての入力ライン上に存在することができ、図１１Ｂは、例示を容易にするために、点線のボックス１１２０の範囲内に単一の係るネットワークを示しているに過ぎない。フィードバックゲインは、フィードバック回路の入／出力関係をモデル化するための微分方程式を用いて最大ＳＮＲを出力するように概ね選択される。実際には、制御ループは、ｍｕｘの出力をモニターし、増幅器１１０２を調整して、年数、熱的効果および周辺の光における起こり得る変動に起因する傾向を考慮するように設計することができる。そうはいっても、本明細書には、２つ以上のデジタルチャネルを利用して、フィルタ（例えばウィナーフィルタまたは最小二乗平均フィルタなど）を構築して、強力な散乱体、他の光レイダーパルスまたはさらには帯域内の太陽光線、ヘッドライドまたは他の汚染要因からの干渉を拒絶する実施形態も開示されている。またフィードバック回路は、ショット間の出力における汚染要因からのいかなる飽和も回避するために、各ショットにおいてリセットさせることもできる。
【００５１】
光レイダーパルス１０８に対してガウスパルス形状が使用され、この場合、全ての空間時間信号が通常通り分散された状態である場合、フィードバック制御は、１１２２における表記法を用いて極めて簡素化することができる。したがって実施形態例では、光レイダーパルス１０８およびその戻りパルス１１２は、ガウスパルス形状を呈することができる。そのような実施形態例では（光レイダーパルス１０８がガウスである）、パルスのフーリエ表現もまたガウス関数であり、制御回路６０８によるゲイン選択は扱い易く、迅速かつ正確な適応を保証する。
【００５２】
図１１Ｂによって示される設計の別の革新的な態様は、検出器アレイ６００内の複数のセンサ６０２に対して六角形に成形された画素を使用することである。陰付きのエリア１１３０は、所与の時間に信号処理回路６０６に渡すために選ばれた画素の選択されたサブセットを示している。どの画素６０２がマルチプレクサ６０４によって選択されるかを適応可能に選択することによって、受信機は、画素／センサ６０２を足したり引いたりすることによって、陰付きのエリア１１３０のサイズを拡大したり、縮小したりすることができる。画素／センサ６０２の六角形の形状は、各六角形が６つの隣接する部分を有するため、故障許容に関して好ましい形状を提供する。さらに検出器アレイ６００の画素／センサ６０２は、専門家によって所望される場合、異なるサイズおよび／または形状を呈することもできる。例えば、画素／センサの一部は、より小さいサイズである場合もあり（例えば１１３２を参照されたい）、他の画素／センサは、より大きなサイズを有する場合もある（１１３４を参照されたい）。さらに、一部の画素／センサは六角形であってよく、他の画素／センサは異なる形状を呈する場合もある。
【００５３】
図１２は、受信機が検出器アレイ６００の有効な領域をどのように適応させるかを制御するための適応性のある制御技術を実装するための一例のプロセスフローを描いている。ステップ１２００において、サブセット１１３０内に含まれるのにふさわしい画素のリストが規定される。このリストは、どの画素６０２がサブセット１１３０内に含まれるのに選択されるのにふさわしいかを示すデータを含む任意のデータ構造１２０２であってよい。そのようなデータ構造は、図１２のプロセスフローを実装するプロセッサにアクセス可能なメモリに維持されてよい。図１２の例は、選ばれるのに適した画素６０２を特定するリスト１２０２を示しているが、データ構造１２０２は、サブセット１１３０内に含まれるのにふさわしくない画素を特定する有効なブラックリストとしての働きもする場合があることを理解されたい。
【００５４】
ステップ１２０４において、回路（例えば信号処理回路６０６および／または制御回路６０８）は、処理ロジック（例えばＦＰＧＡ）および／または他のプロセッサを含んでよく、アレイ６００によって感知された光、（これはアレイ内で有効な画素６０２のサブセットによって感知され得る）から、または環境シーン（例えばカメラ／ビデオ画像を処理することによる）から情報を取り出すように作用する。この取り出された情報には、何らかの飽和状況が存在するかどうか、いずれかの画素が動作不良であるかどうか、視野内に何らかの高い雑音のエリアが存在しているかどうかなどの情報が含まれてよい。適応性のある制御に有益であり得る取り出された情報の例を以下で考察する。さらに、過剰飽和状況は、特有の画素（例えば強烈な入射光によってブラインド状態になった画素など）に起因し得る、および／またはサブセット１１３０内に含まれる画素による画素読み取り値の結合（この場合、画素出力の集約は、処理回路の線形の作動範囲を過剰飽和する）から生じる集合信号に起因し得ることを理解されたい。
【００５５】
ステップ１２０６において、適格な画素のリスト１２０２が、ステップ１２０４において取り出された情報に基づいて調整される。例えば、所与の画素が、ステップ１２０４の結果として動作不良であることがわかった場合、この画素は、ステップ１２０６においてリスト１２０２から除去することができる。同様に、何らかの過剰飽和した画素もリスト１２０２から除去することができ、および／または視野の過度に雑音の大きいエリア（例えば雑音が閾値を超える領域）に相当する任意の画素をステップ１２０６においてリスト１２０２から除去することができる。
【００５６】
次に、ステップ１２０８において、システムは、目標とされる測距点に基づいて適格な画素のリスト１２０２から画素を選択する。これは、図８のステップ８０４に関連して記載されるように実行することができるが、この場合、リスト１２０２は、走査エリア／視野内の目標とされる測距点の場所に応じて選択されるのに適格な画素のプールを規定する。よって目標とされる測距点が、アレイ内の画素１１４０に対してマップされ、サブセット１１３０が、画素１１４０に隣接する全ての画素を通常含む場合、上側左の隣接する画素が、ステップ１２０６においてリスト１２０２から除去された場合（例えば検出された動作不良などによって）、画素１１４０の上側左の隣接する画素がサブセット１１３０に含まれないように、図１２の適応性のある制御技術が作用してサブセット１１３０を規定してもよい。さらに、ステップ１２０８はまた、どの適格な画素がサブセットに含まれるかに影響を与えるために、ステップ１２０４において取り出された情報を利用するように作用する場合もあることを理解されたい。例えば取り出された情報に基づいて有効なセンサ領域のサイズを拡大するために追加の画素がサブセット１１３０に加えられる場合がある。同様に、取り出された情報に基づいてサブセット１１３０内でより少ない画素を利用することによって、有効なセンサ領域のサイズが縮小される場合もある。よって、選択されたサブセット１１３０によって規定される有効な領域のサイズは、ステップ１２０４において取り出された情報に基づいてショット間で変動し得ることも理解されたい。
【００５７】
ステップ１２１０において、ステップ１２０８において選択された画素がサブセット１１３０に含まれ、ＭＵＸはこのとき、選択されたサブセット１１３０内に含まれる画素からの出力を読み取る／結合するように制御される（ステップ１２１２）。その後、プロセスフローは、次の光レイダーパルスショットのためにステップ１２０４へと戻る。したがって、図１２のプロセスフローは、アレイ６００内のどの画素が光レイダーパルス戻りを感知するために使用されるかをインテリジェントにかつ適応可能に制御するための技術を定義することが分かる。
【００５８】
さらに、図１２のプロセスフローはまた、発信機の作動に影響を与えるために使用することもできることを理解されたい。例えばそのショットリスト上のショットのタイミング／順序を調整する（例えば受光時の雑音によって損なわれる可能性のあるショットを回避する）ために、光レイダー発信機によって使用するために適格な画素のリスト（または不適格な画素のリスト）を光レイダー発信機に提供することができる。さらになお、一例として、ステップ１２０４において取り出された情報が、ＭＵＸ６０４によって生成された集合信号が過剰飽和したことを示す場合、光レイダー発信機は、光レイダーパルス１０８によって使用される出力を下げることで、受光側での過剰飽和の可能性を低下させることができる。このとき、そのような過剰飽和によって受信機が損なわれた場合、光レイダー発信機は、光レイダーパルス１０８に関する出力を低下させ、低下した出力パルスを再発信することによって、損なわれたショットを繰り返すことができる。
【００５９】
また光レイダーシステムによって利用することができる制御技術の特有の例も本明細書に開示される。各制御技術が個別に考察され、それだけで実装することが可能であるように理解すべきであるが、適応性のある受信機に関する性能をさらに高めるために、複数のこのような制御技術を集約することもできることも理解されたい。したがって、多くの例において、このような制御技術の集約された組み合わせは、相乗作用を有し、強化することを理解されたい。他のケースでは、受信機に対して所望される動作特性に基づいて専門家によって決定されるべき交換条件が在る場合もある。
適応性のある故障許容マスク
【００６０】
従来の結像アレイの場合、デッド画素は典型的には、回復不能な損失につながる。しかしながら、本明細書に記載される適応性のある制御機構の場合、動作不良の画素６０２は、最低限の作用を有する。例えば、５００個の画素６０２のアレイ６００を有すると仮定する。このとき、７つのスーパーピクセル／複合画素１１３０（特定された画素１１４０およびその隣接するもの）に対して遠視野シーンをマップするレンズを有すると仮定する。１つの画素を失うことは、正味の光子エネルギーのうちの１／７の損失につながる。検出器アレイがショット雑音が制限されている場合、この場合、全体の結像アレイに対する１００％の損失に対して、エネルギーの７％しか損失しない。光レイダー発信機が圧縮センシングを利用する実施形態に適用される際の、故障許容の適応性のあるマスクに関する一例の制御フローが以下に示される。マスクが制御回路６０８によって利用されて、どの画素６０２が、有効なセンサの選択されたサブセットに含まれ、またどの画素がそこに含まれないのかを規定することができることを理解されたい。例えば、マスクは、各ビット位置がアレイ６００内の異なる画素に対応するデータ信号であってよい。「１」の値を有するビット位置に関して、対応する画素６０２は、選択されたサブセットに含まれ、「０」の値を有するビット位置に関して、対応する画素６０２は、選択されたサブセットに含まれない。
【００６１】
光を検出することができない画素６０２（例えば「デッド」画素または「暗い」画素）は、選択されたサブセットに含まれるべきではなく、その理由は、そのようなデッド画素は、選択されたサブセットによって規定される複合画素に相当する集約された感知信号に対して、雑音を加えることはあっても、信号は加えることはないためである。さらに、動作不良の画素は、デッド画素のみに限定されないことも理解されたい。入射光が受光されるかどうかにかかわらず出力信号を生成する画素６０２（例えば「スタック」画素または「白色」画素）もまた、選択されたサブセットから除くべきである。実際、白色画素は、暗い画素よりもさらに悪い場合があり、その理由は、白色画素によって生じる固着の負担が、複合画素における全ての戻りに対してグレアを加える一定の輝度の読み取りにつながる場合があるためである。どの画素６０２が動作不良として検出されたかに基づいて、どの画素６０２が選択されたサブセットに含まれるかを調整することができる適応性のある故障許容マスクを生成するための一例の制御プロセスフローが以下に記載される。
１：バックグランド画素状況プローブショットスケジュールの反復率Ｔを選択する（例えば名目上１時間に１回）。
２：分解:過去における先行時間ブロックＴがＳを特定し、画素のセットは、照明するためにまだ選択されない。Ｓ１、Ｓ２に分解し、前者は、アドレス指定可能（そのシーンにおける強力な戻り）であり、後者は、アドレス指定不可能であるように規定される（例えば水平線より上）。Ｓ１、Ｓ２は時間変動することに留意されたい。
３:ショットリスト:Ｓ１、Ｓ２をショットリストに入力する。
４:マスクを構築し、１〜３（戻りのない、または変則的なゲインのいずれか）からの戻りの分析から特定された故障したタイルを除外する。レンズおよびタイルピッチに基づいてスーパーピクセルのサイズを設定することができるが、但し名目上は７であり得る。
５:１−４を再帰的に処理する。
６:平均:上記において、必要に応じて、画素プローブに対して移動平均を適用し、適応性のある計測学を含む。
【００６２】
このような様式の故障許容は、緩和なしで、たった一つの信号の欠陥がＦＯＶ全体を無効にし得るため、安全性を高める際の有益なステップであり得る。
ダイナミックレンジを制御するための適応性のあるマスク
【００６３】
画素のどのサブセットが、所与の時間に作動されるかに対して適応性のある制御はまた、システムのダイナミックレンジを調整するのに使用することもできる。範囲の認識に基づいて、複合画素によって生成される信号は、予測可能な強度を有する。選択されたサブセットに含まれる画素６０２によって規定される複合画素のサイズを調整することによって、ＡＤＣ前置きフィルタおよび／またはＡＤＣ自体における戻りのダイナミックレンジを縮小する（または拡大する）マスクを構築することができる。例えば典型的な複合画素が７画素（例えば図１１Ｂにおける１１３０を参照されたい）である場合、サブセットが７画素から単一の画素に減少するようにそれを調整することは、エネルギーを１／７に（またはおおまかに３ビットだけ）減少させる。光検出器は、光のエネルギーを測定するが、光の振幅は測定しない。結果として、ＡＤＣのダイナミックレンジは、従来の通信および振幅を測定する光レイダー回路に関するものの２乗である。結果として、ダイナミックレンジを適切に制御することは、レーザシステムに関する技術的挑戦である。例えば、１０〜５００ｍにわたって作動するように調整された光レイダーシステムは、固定された反射率とレーザ出力の場合、２５００だけ信号戻りのダイナミックレンジの変化を被る。付近の対象物が受信機を飽和させた場合、より遠い目標が失われることになる。したがって、実施形態例は、ｍｕｘ回路内の選択されたサブセットから任意の画素を励起するためのその必要性を評価するために、瞬間的視野における従前のショット範囲の戻りの分析を含むことができる。結果として、以下で概説するように、ＭＵＸに、領域１１３０の１つまたは複数の画素からのセンサ信号（複数可）を落とすようにさせる要望が存在する場合がある。戻り信号のダイナミックレンジを制御するための適応性のあるマスクを生成するための一例の制御プロセスフローが以下に記載される。
１．選択または圧縮センシングのいずれからより得られた対象物のパルス戻りからの範囲の戻りを調べる。
２．いくつかの範囲サンプルに関してＭＳＢ（最上位ビット）におけるＡＤＣ報告によって証明されるように、任意の飽和アーチファクトを特定する。
３．飽和した範囲サンプルを原点の正確な方位角および高度に対してマップする。これは、隣接するセルを調査することで、とりわけビーム広がりがより顕著であるとき、より長い範囲において背景から原点を特定することを含んでよい。
４．３において特定された原点においてより大きなゲインを提示する画素を阻止することによって飽和を抑制するようにマスクを修正する。
５．必要に応じて、より小さいエリア画素のみを選択することによってマスクをさらに修正する。
干渉する光レイダーパルスの衝突を除去するための適応性のあるマスク
【００６４】
受信機によって感知される光における雑音の別の可能性のある発生源は、干渉する光レイダーパルスからの衝突である。例えば光レイダーシステムが移動中の自動車において利用される用途では、検出器アレイ６００に対して入射する到来する光は、主題の光レイダーシステムを担持する車両からの光レイダーパルス戻り１１２だけでなく、異なる車両によって担持される異なる光レイダーシステムからの光レイダーパルスまたは光レイダーパルス戻り（干渉する「車外の」パルス）も含む可能性がある。そのような干渉するパルスの適応性のある分離は、他の光レイダーシステムからの強力な干渉パルスに対応付けられた画素を励起することによって選択される画素６０２のサブマスクを形成することによって達成することができる。上記に参照され組み込まれた特許出願は、どの光レイダーパルスが「固有の」パルスであり、どれが「誤った」パルス（例えば「車外の」パルス）であるかについての決定を助けるために、いかにしてパルスエンコーディングを利用することができるかを記載している。例えば、そのようなエンコーディングを利用して、画素１１３４が干渉する光レイダーパルスからのエネルギーを包含していることを検出すると考える。このとき、どれが干渉を受けているかを知るために、アレイの画素全体（例えばクラスタ１１３０を含む）を走査する。一実施形態において、これは、エンコーディングを利用して「固有の」光レイダーパルスを除去することと、差し引いた後に結果として生じる信号を測定することと、所定の閾値と比較することとを含む。別の実施形態では、システムは、単にＭＵＸ出力を分析し、「固有の」パルスエンコーディング信号を差し引き、残りを閾値と比較するだけである。この実施形態は、遭遇する干渉の程度、および利用可能なプロセッサリソースに左右される。そのような検出の後、制御回路６０８は、この画素１１３４を選択されたサブセットに含むのに適格な画素のリストから除去することができ、干渉パルスは、その画素１１３２によって登録される。
【００６５】
システムはまた、夜間の作動における受動式ビデオからのヘッドライド光源の位置特定に基づいて画素を除去する場合もある（ここでの作動上の保守的な前提は、ヘッドライドを備えた全ての車両が光レイダー発信機を有することである）。さらに、パルス衝突検出を利用して、車外のパルスを明らかにすることができるため、この情報を利用して、任意の選択された車外のレーザ源を所望される信号として扱い、残りのもの（クルマ固有の光レイダーパルスを含む）を差し引き、この干渉が最大となる場所を見つけるためにアレイの画素全体を走査することができる。そうする中で、各干渉する光レイダー源の発生源を特定し、これをその後除去することができる。
強力な散乱体の除去のための適応性のあるマスク
【００６６】
受信機によって感知された光における雑音の別の可能性のある発生源は、光レイダーパルスが、強力な散乱作用を呈する物体（例えば、より理想的に配向された物体とは対照的に、光レイダーパルス１０８による衝突の角度に直交する、激しく傾斜し、反射する物体）にぶつかったときである。多様な戻りを呈する目標は、情報を保持する内容を有する。しかしながら、このような内容は、極端なダイナミックレンジが原因で失われる場合があり、その理由は、最も大きい戻りが飽和して、強制的に受信機を非線形モードにする、および／または強制的により弱い戻りをセンサ検出下限以下にするためである。典型的には、直接の戻りが最大であり、連続する戻りは、地面の跳ね返りの分散によって弱められるが、これは反射率が跳ね返りの戻りにおいてより高くなるケースではない。いずれのケースでも、マスクを調整することで、近範囲サンプルが、より高いひとみを受け取り（膨張）（例えば選択されたサブセットが、アレイ６００のより大きなエリアを画定する場合）、遠範囲サンプルは、ひとみの収縮を被る（例えば選択されたサブセットが、アレイ６００のより小さいエリアを画定する場合）ことが望ましい。遠範囲では、レーザスポットに関して大きな角度を成す範囲が生じる。強力な近範囲の散乱体のパルス戻りは、発信されたパルスのためのデータ取得窓の範囲内に到達することが可能である。適応性のあるマスクの利用によって、受光時にスポットビームを過度に分解し（例えばショット戻りビームによってカバーされる２つ以上の画素）、これにより飽和または目的のセルへの散乱体の漏出を抑えることによって、このような散乱体の除去が可能になる。例えば、理論上、範囲の戻りが１１３４において始まり、１１３２において２倍まで移動し、最も近い範囲では１１３０に現れることを観察すると仮定する。このとき、光レイダーパルスがセンサアレイにわたって掃引する際、異なるｍｕｘラインを選ぶことによってマスクを修正するように制御回路に命令することができる。
マスクフィードバック制御に関連付けられた適応性のあるショットタイミング
【００６７】
圧縮センシングにおいて、ダイナミックレンジは、発信機による光レイダーパルスを故意に時間調節することによってさらに縮小させることができ、その結果、レーザのピーク強度は、目標の上に当たらず、代わりに、目標に近い障害物から離れるようになり、これにより信号対クラッター比を増大させる。これは、他の手段によって得られるものの他に、近くの干渉の抑制を可能にする。例えば、理論上、上方のセンサセル１１３２が極めて強力な目標を含んでおり、同様に１１３２でラベル付けされた下方の付近のセンサセルが目標を含むと仮定する。このとき、受信したパルスショット照明を１１３２から２バイト分移動させ、それをより１１３０に向けて中心に配置するようにショットタイミングを設定することができる。ここで、ショットタイミングにおける融通性（圧縮センシングを介して提供される）、発信時のビームの位置決めの認識（図９を参照）およびセンサ素子における選択制（例えば図１１Ｂを参照）を利用することで、受信機および発信機を最適に調整することで、最上級に可能な信号品質を獲得する。マスクが調整されることで、受信されたビームのビームピークが雑音源（例えば到来するトラフィック）から離れることを保証することによって、我々は、所定の距離で結像する間、付近の車両からの強力な戻りを減少させることができ、強力な散乱体を９５％まで削減させ、その一方で目標の対象物は数パーセントだけ減衰させるには、一部のケースにおいては１ミリラジアンで十分である。実施形態例において、選択センシングを使用して、マスクのパラメータを決定する場合もあるが、圧縮センシング、または固定式のロードマップベースの解決策が選ばれる場合もある。ここでの一例はレーン構造であるが、これは、対向レーンのトラフィックが最大の干渉量を生み出すためである。システムはこれにより、ショットを調整する、またはショットの順序を調整することで、雑音の多いエリアを回避し、所望される物体の情報を得ることができる。
マスクの不一致によるダイナミックレンジの緩和に対して適応性のあるマスク
【００６８】
最大の光レイダー反射測定を提供するために１１３０におけるマスクが選ばれた場合、中心画素が最大のエネルギーを有する。したがって、それは、その他のどれよりも前に飽和する。したがって飽和のリスクを低下させるための１つの手法は、飽和の事実または飽和に関する問題が生じている場合、マスク１１３０から中心画素を単に除去することである。
出力コヒーレントな干渉除去に対して適応性のあるマスク
【００６９】
本明細書に開示される進歩した受信機の１つの利点は、Ｍが画素の数である場合のＭとは対照的に、単一のデータチャネルしか必要とされないことである。しかしながら、それでもなお、低コストを維持することができ、第２のチャネルを加えることによってシステムを交換することもできる。この第２のチャネルは、第１のチャネルと同様に、完全なアナログデジタル変換器（図７Ａを参照）または飛行時間デジタイザ（図７Ｂを参照）のいずれかであり得る。いずれかの実施形態によって、フィルタリング（例えばウィナーフィルタリングまたは最小二乗平均（ＬＭＳ）フィルタリングなど）を用いて干渉を最適に抑えるために、コヒーレント結合（強度における）が可能になる。２つのチャネルｘ、ｙによって、および目標戻り重み付けが、ｗｘ、ｗｙである場合、これは、重みを解明し、データにこの重みを適用すること匹敵し、その結果ｗｘｘ＋ｗｙｙのＳＮＲが最大になる。そのような適応性のあるマスクを介して、感知された光信号における空間的指向性の雑音成分を低下させることができる。
【００７０】
図６Ａ〜図１２の実施形態は、感知された光が検出器アレイ６００上に結像される、図４および図５Ａによって示されるものなどの検出光学装置と対にされた場合にとりわけ有益であり得る。（例えば図３Ａ、図３Ｂおよび図５Ｂの実施形態など画像パルスが検出器アレイ６００上で結像されない実施形態（または画像が中途半端な結像作用により「ぼやけた」実施形態）では、この場合、検出された信号を特有の画素に対して分離する必要性が小さいため、専門家が、マルチプレクサ６０４を削除することを選ぶ場合もある。
【００７１】
図１３Ａは、例えば図５Ａによって示されるものなどの「検出器に対して直接の」検出光学装置が利用され、かつ図７Ａの読み出し回路が利用される一例の光レイダー受信機の実施形態を描いている。この例では、光レイダー受信機は、おおよそ６０ｘ６０度のＦＯＶと、おおよそ１５０ｍの範囲（＠ＳＮＲ＝８、１０％の反射率）を有するように設計される。受信機は、例えばシリコンまたはＩｎＧａＡｓ  ＰＩＮ／ＡＰＤアレイなどの少数のＮ個の素子の検出器アレイを利用する。ＩｎＧａＡｓ  ＰＩＮアレイを利用する場合、受信機は、２ｃｍの入力開口、１４ｍｍの焦点距離を呈してよく、それは、パルス当たり４マイクロジュール前後のおおよそ０．２〜５．０ナノ秒のレーザパルスと併せて機能してよい。干渉を抑制するために空間的／角度を成す分離が利用されてよく、視野レンズを使用して、検出器が十分に高いフィルファクターを持たない場合、検出器の面内に「デッドスポット」がないことを保証してよい。図１３Ｂは、図１３Ａの光レイダー受信機の実施形態の日中の使用に関するＳＮＲと範囲のグラフを描いている。図１３Ｂはまた、この実施形態に関する付加的な受信機の特徴も示している。注目すべきは、８０％の反射率（金属）における範囲が６００ｍを超えることである。さらに最大範囲の包絡線は、１５０ｍ前後と、６００ｍ前後の間であり、現実の目標の反射率および地形／形状に左右される。
【００７２】
図１４Ａは、図３Ｂに示されるものなどの検出光学装置が利用され、かつ図７Ａの読み出し回路が利用される光レイダー受信機の実施形態を描いている。この例では、光レイダー受信機は、おおよそ５０ｘ５０度のＦＯＶと、おおよそ４０ｍの範囲（＠ＳＮＲ＝８、１０％の反射率）を有するように設計される。図１３Ａの実施形態でのように、受信機は、例えばシリコンまたはＩｎＧａＡｓ  ＰＩＮ／ＡＰＤアレイなどの少数のＮ個の素子の検出器アレイを利用する。ＩｎＧａＡｓ  ＰＩＮアレイを利用する場合、図１４Ａの受信機は、２ｃｍの入力開口を呈示し、無限焦点の非結像レンズを利用してよく、それはパルス当たり４マイクロジュール前後のおおよそ０．２〜５．０ナノ秒のレーザパルスと併せて機能してよい。図１４Ｂは、図１４Ａの光レイダー受信機の実施形態の日中の使用に関するＳＮＲと範囲のグラフを描いている。図１４Ｂはまた、この実施形態に関する付加的な受信機の特徴も示している。注目すべきは、８０％の反射率（金属）における範囲が１８０ｍ前後であることである。さらに最大範囲の包絡線は、４０ｍ前後から１８０ｍ前後の間であり、現実の目標の反射率と、地形／形状に左右される。
【００７３】
光レイダーシステムを装備した車両の動き、もしくはそれが追跡する対象物の動きのいずれか、またはその両方を活用することによって、検出範囲、ＳＮＲおよびしたがって検出の可能性、またはその両方を劇的に改善することも可能である。これは、道路の面の低い反射率（−２０％）およびパルスの拡散および関連するＳＮＲのロスが理由で、道路の表面をマッピングするのにとりわけ有益であり得る。
【００７４】
この双方向（既知の）のビームパターンの確率論的な調整は、得られたポイントクラウド（複数可）に対して位置情報を埋め込む。この埋め込み式の改良されたパラメータから推定値から抜き出すことができる。これは基本的に、光レイダーリモートセンシングにおけるＩＳＡＲ（逆合成開口光レイダー）の二重である。これは図１５に示されており、ここでは、所与の方位角および高度の画素に関する検出器の出力を示しており、各列は、１回のショットからの範囲の戻りである。ショットを総計する際、我々は積分ゲインを獲得する。図１５では、白色の実線の曲線１５０２は、車両の動きによって、どのように特有の、固定された地面の基準点が垂直方向に変化するかを示している。この動きは、非線形の外形につながり得ることに留意されたい。これは、たとえ固定された速度の場合でも、地面の突出部は、近範囲においては、平坦な突出部を提示しないという事実に起因している。換言すると、地面の突出部のヤコビ行列式は、パラメトリックに異なる。我々が提案する相対運動の利用は、このような外形に沿って、検出器アレイの出力を二進法または強度のいずれかで統合することで、地面のマップを作り直すためである。そのような統合は、パルスが広がり、これにより各ショットは、弱い戻りを提示するという事実によって実際に必要とされる。さらに、アスファルトは、２０％程のかなり低い反射率を有する傾向があり、範囲情報の抽出をさらに複雑にする。白色の矩形領域１５０２は、レーザ源の車両に対して相対運動を見せる車両に関するショットの移行を示している。グラフを簡素化するために、差動相互速度［接近する速度］が一定であるケースを示している。矩形１５０２の幅は、この差分における不確実性を提示している。目盛りは、この幅が、上述した地面のマッピングに関する幅よりずっと大きいことを示している。これは、我々が、光レイダーを利用して差動速度を推定する必要があり、固有のクルマが、計測を向上させるためにＧＰＳ、加速度計および他の計器を有するためである。綿密な検査によって、白色の傾斜した矩形１５０２の内部により多くの検出が存在することが示される。この例は、ＳＮＲが２である場合であり、さらには低ＳＮＲの場合でも、手順[二進法]に従った統合は、適切な性能を提供することができることを示している。受信機が作用する曲線は容易に計算され、図１６において示される。検出の可能性１６００（上部右の細い線）ならびにフォールスアラーム曲線、底部左の１６０２が示されている。細い線を１ショットから３０ショットまで移動させる。水平軸は統合後のレベルにおける閾値であり、図１５に従って運動学的空間におけるラインを形成している。１．５の閾値において、１５ショットで９５％６％のＰｄ  Ｐｆａを獲得することが観察され、これは５０ｍ／ｓの接近速度の場合、２５ｍの目標車両の進入、または１／２秒である。
【００７５】
本発明をその実施形態例に関連して上述してきたが、なおも本発明の範囲にある様々な修正がそれに対して行われる場合がある。本発明に対するそのような修正は、本明細書の教示を精査することで認識することが可能である。
【図１Ａ】
2019505814.tif 000003
【図１Ｂ】
2019505814.tif 000004
【図２】
2019505814.tif 000005
【図３Ａ】
2019505814.tif 000006
【図３Ｂ】
2019505814.tif 000007
【図４】
2019505814.tif 000008
【図５Ａ】
2019505814.tif 000009
【図５Ｂ】
2019505814.tif 000010
【図６Ａ】
2019505814.tif 000011
【図６Ｂ】
2019505814.tif 000012
【図７Ａ】
2019505814.tif 000013
【図７Ｂ】
2019505814.tif 000014
【図８】
2019505814.tif 000015
【図９】
2019505814.tif 000016
【図１０Ａ】
2019505814.tif 000017
【図１０Ｂ】
2019505814.tif 000018
【図１１Ａ】
2019505814.tif 000019
【図１１Ｂ】
2019505814.tif 000020
【図１２】
2019505814.tif 000021
【図１３Ａ】
2019505814.tif 000022
【図１３Ｂ】
2019505814.tif 000023
【図１４Ａ】
2019505814.tif 000024
【図１４Ｂ】
2019505814.tif 000025
【図１５】
2019505814.tif 000026
【図１６】
2019505814.tif 000027
【国際調査報告】
2019505814.tif 000028
2019505814.tif 000029
2019505814.tif 000030